(57)【特許請求の範囲】
【請求項１】
ネットワークノードにおいて使用される方法であって、
前記ネットワークノードが、無線送受信装置（ＷＴＲＵ）が無線アクセス技術（ＲＡＴ）を使用して第１のチャネルにおいて動作していることを示すデータを受信するステップと、
前記ネットワークノードが、前記ＷＴＲＵによって使用されている前記ＲＡＴに基づいて、前記ＷＴＲＵが前記第１のチャネルにおける静寂期間（ｑｕｉｅｔ  ｐｅｒｉｏｄ）の前に第２のチャネルに移動しなければならないことを決定するステップと、
前記ネットワークノードが、コマンドを前記ＷＴＲＵに送信するステップであって、前記コマンドは、前記ＷＴＲＵが前記第２のチャネルに移動しなければならないことを示す、ステップと
を含むことを特徴とする方法。
【請求項２】
前記ＷＴＲＵが前記第２のチャネルに移動しなければならないことを決定する前記ステップは、前記ＲＡＴを使用している第２のＷＴＲＵが前記第２のチャネルにおいて動作していることを示すデータにさらに基づくことを特徴とする請求項１に記載の方法。
【請求項３】
第３のＷＴＲＵが第２のＲＡＴを使用して前記第１のチャネルにおいて動作していることを示すデータを受信するステップと、
第４のＷＴＲＵが前記第２のＲＡＴを使用して第３のチャネルにおいて動作していることを示すデータを受信するステップと、
前記第２のＲＡＴを使用する前記第３のＷＴＲＵおよび前記第４のＷＴＲＵに基づいて、前記第３のＷＴＲＵが前記静寂期間の前に前記第３のチャネルに移動しなければならないことを決定するステップと、
第２のコマンドを前記第３のＷＴＲＵに送信するステップであって、前記第２のコマンドは、前記ＷＴＲＵが前記第３のチャネルに移動しなければならないことを示す、ステップと
をさらに含むことを特徴とする請求項２に記載の方法。
【請求項４】
前記第１のチャネルおよび前記第２のチャネルは、テレビジョン帯域（ＴＶＢＤ）チャネルであることを特徴とする請求項１に記載の方法。
【請求項５】
前記コマンドは、電気電子技術者協会（ＩＥＥＥ）媒体独立型調整（ＭＩＣ）メッセージ、ＩＥＥＥ８０２．１９ｘメッセージ、ＩＥＥＥ８０２．１１ｘメッセージ、ＩＥＥＥ８０２．１６ｘメッセージ、または８０２．２２ｘメッセージであることを特徴とする請求項１に記載の方法。
【請求項６】
前記ＷＴＲＵが動作している無線アクセスネットワークの無線特性に基づいて、前記静寂期間の開始時刻を決定するステップをさらに含み、
前記コマンドは、前記静寂期間の前記開始時刻に基づく
ことを特徴とする請求項１に記載の方法。
【請求項７】
前記無線特性は、チャネル可用性またはチャネルローディングであることを特徴とする請求項６に記載の方法。
【請求項８】
無線送受信装置（ＷＴＲＵ）が無線アクセス技術（ＲＡＴ）を使用して第１のチャネルにおいて動作していることを示すデータを受信するように構成された通信インターフェイスと、
前記ＷＴＲＵによって使用されている前記ＲＡＴに基づいて、前記ＷＴＲＵが前記第１のチャネルにおける静寂期間（ｑｕｉｅｔ  ｐｅｒｉｏｄ）の前に第２のチャネルに移動しなければならないことを決定するように構成されたプロセッサと
を含み、前記通信インターフェイスは、前記ＷＴＲＵにコマンドを送信するようにさらに構成され、前記コマンドは、前記ＷＴＲＵが前記第２のチャネルに移動しなければならないことを示す
ことを特徴とするネットワークノード。
【請求項９】
前記プロセッサは、前記ＷＴＲＵが動作している無線アクセスネットワークの無線特性に基づいて、前記静寂期間の開始時刻を決定するようにさらに構成され、前記コマンドは、前記静寂期間の前記開始時刻に基づくことを特徴とする請求項８に記載のネットワークノード。
【請求項１０】
ネットワークノードにおいて使用される方法であって、
前記ネットワークノードが、第１の無線送受信装置（ＷＴＲＵ）が第１の無線アクセス技術（ＲＡＴ）を使用して第１のチャネルにおいて動作していることを示すデータを受信するステップと、
前記ネットワークノードが、第２のＷＴＲＵが第２のＲＡＴを使用して前記第１のチャネルにおいて動作していることを示すデータを受信するステップと、
前記ネットワークノードが、前記第１のチャネルにおける静寂期間（ｑｕｉｅｔ  ｐｅｒｉｏｄ）の開始時刻を決定するステップと、
前記ネットワークノードが、第１のアクセスネットワークを介して第１のコマンドを前記第１のＷＴＲＵに送信するステップであって、前記第１のアクセスネットワークは、前記第１のＲＡＴに基づき、前記第１のコマンドは、前記第１のＷＴＲＵが前記静寂期間の前に第２のチャネルに移動しなければならないことを示す、ステップと、
前記ネットワークノードが、第２のアクセスネットワークを介して第２のコマンドを前記第２のＷＴＲＵに送信するステップであって、前記第２のアクセスネットワークは、前記第２のＲＡＴに基づき、前記第２のコマンドは、前記第２のＷＴＲＵが前記静寂期間の前に前記第２のチャネルに移動しなければならないことを示す、ステップと
を含むことを特徴とする方法。
【請求項１１】
前記第１のチャネルにおける前記静寂期間の前記開始時刻を決定する前記ステップは、前記第１のアクセスネットワークを介して前記第１のＷＴＲＵから受信されるネットワークステータス情報に基づくことを特徴とする請求項１０に記載の方法。
【請求項１２】
前記第１のチャネルにおける前記静寂期間の前記開始時刻を決定する前記ステップは、前記第２のアクセスネットワークを介して前記第２のＷＴＲＵから受信されるネットワークステータス情報にさらに基づくことを特徴とする請求項１１に記載の方法。
【請求項１３】
前記第１のＷＴＲＵから受信される前記ネットワークステータス情報は、前記第１のＷＴＲＵが位置を変えたこと、前記第１のＷＴＲＵがチャネルを変えたこと、または前記第１のＷＴＲＵが前記第１のチャネルにおいて認可されたＷＴＲＵを検出したことのうちの１つまたは複数を示すことを特徴とする請求項１１に記載の方法。
【請求項１４】
前記第１のチャネルおよび前記第２のチャネルは、テレビジョン帯域（ＴＶＢＤ）チャネルであることを特徴とする請求項１０に記載の方法。
【請求項１５】
前記第１のコマンドまたは前記第２のコマンドは、電気電子技術者協会（ＩＥＥＥ）媒体独立型調整（ＭＩＣ）メッセージ、ＩＥＥＥ８０２．１９ｘメッセージ、ＩＥＥＥ８０２．１１ｘメッセージ、ＩＥＥＥ８０２．１６ｘメッセージ、または８０２．２２ｘメッセージであることを特徴とする請求項１０に記載の方法。
【請求項１６】
前記ＷＴＲＵが前記第２のチャネルに移動しなければならないことを決定することは、第２のＷＴＲＵが前記ＲＡＴを使用して前記第２のチャネルにおいて動作していることを示すデータにさらに基づくことを特徴とする請求項８に記載のネットワークノード。
【請求項１７】
前記通信インターフェイスは、第３のＷＴＲＵが第２のＲＡＴを使用して前記第１のチャネルにおいて動作していることを示すデータを受信し、および第４のＷＴＲＵが前記第２のＲＡＴを使用して第３のチャネルにおいて動作していることを示すデータを受信するようにさらに構成され、
前記プロセッサは、前記第２のＲＡＴを使用する前記第３のＷＴＲＵおよび前記第４のＷＴＲＵに基づいて、前記第３のＷＴＲＵが前記静寂期間の前に前記第３のチャネルに移動しなければならないことを決定するようにさらに構成され、
前記通信インターフェイスは、第２のコマンドを前記第３のＷＴＲＵに送信するようにさらに構成され、前記第２のコマンドは、前記ＷＴＲＵが前記第３のチャネルに移動しなければならないことを示す
ことを特徴とする請求項８に記載のネットワークノード。
【請求項１８】
前記第１のチャネルおよび前記第２のチャネルは、テレビジョン帯域（ＴＶＢＤ）チャネルであることを特徴とする請求項８に記載のネットワークノード。
【請求項１９】
前記コマンドは、電気電子技術者協会（ＩＥＥＥ）媒体独立型調整（ＭＩＣ）メッセージ、ＩＥＥＥ８０２．１９ｘメッセージ、ＩＥＥＥ８０２．１１ｘメッセージ、ＩＥＥＥ８０２．１６ｘメッセージ、または８０２．２２ｘメッセージであることを特徴とする請求項８に記載のネットワークノード。
【請求項２０】
前記無線特性は、チャネル可用性またはチャネルローディングであることを特徴とする請求項９に記載のネットワークノード。
【発明の詳細な説明】
【技術分野】
【０００１】
関連出願の相互参照
本出願は、参照により全体が本明細書に組み込まれている、２００９年４月６日出願の米国特許仮出願第６１／１６７，０５０号明細書、および２０１０年１月１９日出願の米国特許仮出願第６１／２９６，３５９号明細書の利益を主張する。
【０００２】
本開示は、無線通信に関する。
【背景技術】
【０００３】
ＦＣＣ（米国連邦通信委員会）は、未認可の装置によって使用するために、ＶＨＦ（超短波）およびＵＨＦ（極超短波）スペクトルの一部を開くことを決定した。新しく使用可能なスペクトルの使用は、スペクトルの認可された装置を干渉から保護することを目的とする法的な要求事項の対象となり得る。例えば、未認可の装置は、認可された装置が動作しているチャネル上で、認可された装置を感知する必要があり得る。さらに、特定の地理的エリア内のチャネルにおいて認可された装置の感知を実行することができるように、未認可の装置は、特定のチャネルでの送信を停止する（「チャネルの静寂化」と呼ばれる）必要があり得る。現在の技術は、多様なＲＡＴ（無線アクセス技術）を使用する未認可の装置が同じ周波数帯において動作しているときに、チャネルの静寂化をどのように実行できるかに対処していない。したがって、現在の技術のこれらおよび他の欠点に対処する新しい技術が必要とされる。
【発明の概要】
【０００４】
ネットワークノードにおいて使用される方法は、ＷＴＲＵ（無線送受信装置）がＲＡＴを使用して第１のチャネルにおいて動作していることを示すデータを受信するステップを含み得る。ネットワークノードは、ＷＴＲＵによって使用されているＲＡＴに基づいて、ＷＴＲＵが第１のチャネルにおける静寂期間の前に第２のチャネルに移動しなければならないことを決定することができる。ネットワークノードは、ＷＴＲＵが第２のチャネルに移動しなければならないことを示すコマンドをＷＴＲＵに送信することができる。
【０００５】
ネットワークノードは、ＷＴＲＵがＲＡＴを使用して第１のチャネルにおいて動作していることを示すデータを受信するように構成された通信インターフェイスを含み得る。ネットワークノードは、ＷＴＲＵによって使用されているＲＡＴに基づいて、ＷＴＲＵが第１のチャネルにおける静寂期間の前に第２のチャネルに移動しなければならないことを決定するように構成されたプロセッサをさらに含み得る。通信インターフェイスは、ＷＴＲＵが第２のチャネルに移動しなければならないことを示すコマンドをＷＴＲＵに送信するようにさらに構成され得る。
【０００６】
ネットワークノードにおいて使用される方法は、第１のＷＴＲＵおよび第２のＷＴＲＵが第１のチャネルにおいて動作していることを示すデータを受信するステップを含み得る。第１のＷＴＲＵは、第１のＲＡＴを使用して動作しており、第２のＷＴＲＵは、第２のＲＡＴを使用して動作している。ネットワークノードは、第１のＷＴＲＵが第１のチャネルにおける静寂期間の前に第２のチャネルに移動しなければならないことを示すコマンドを第１のＷＴＲＵに送信することができる。ネットワークノードは、第２のＷＴＲＵが第２のチャネルに移動しなければならないことを示すコマンドを第２のＷＴＲＵに送信することもできる。
【図面の簡単な説明】
【０００７】
添付の図面に関連して一例として提供される以下の説明からより詳細な理解を得ることができる。
【図１】ＴＶＢＤ（テレビジョン帯域）周波数における無線データの通信のためのアーキテクチャ例を示す図である。
【図２】ＴＶＢＤ周波数における無線データの通信のための第２のアーキテクチャ例を示す図である。
【図３】ＴＶＢＤ周波数における無線データの通信のための第３のアーキテクチャ例を示す図である。
【図４】複数のＲＡＴにわたるチャネルの静寂化の調整のための方法例を示す図である。
【図５】複数のＲＡＴにわたるチャネルの静寂化の調整のための第２の方法例を示す図である。
【図６】複数のＲＡＴにわたるチャネルの静寂化の調整のための第３の方法例を示す図である。
【図７】図１〜図６を参照して記載されている方法および特徴を実行するように構成され得る無線通信システム例を示す図である。
【発明を実施するための形態】
【０００８】
以下で言及するとき、「ＷＴＲＵ（無線送受信装置）」という用語は、それだけには限定されないが、ＵＥ（ユーザ機器）、移動局、固定式または携帯式の加入者ユニット、ページャ、携帯電話、ＰＤＡ（個人用デジタル補助装置）、コンピュータ、または無線環境で動作することができる他の任意のタイプの装置を含む。以下で言及するとき、「基地局」という用語は、それだけに限定されないが、ＮｏｄｅＢ、サイトコントローラ、ＡＰ（アクセスポイント）、ＲＮＡＰ（無線ネットワークアクセスポイント）、または無線環境において動作可能な他の任意のタイプのインターフェイス装置を含む。本明細書で使用する場合、「ＴＶＢＤ（テレビジョン帯域）周波数」とは、ＶＨＦおよび／またはＵＨＦ周波数範囲内の周波数を指す。ＶＨＦは、３０〜３００ＭＨｚ（メガヘルツ）に及ぶ。ＵＨＦは、３００〜３０００ＭＨｚに及ぶ。以下で言及するとき、「ＴＶＢＤ  ＷＴＲＵ」という用語は、ＴＶＢＤ周波数において無線データを通信することができるＷＴＲＵを指す。ＴＶＢＤ  ＷＴＲＵは、非ＴＶＢＤ周波数において通信することもできる。以下で言及するとき、「ＴＶＢＤ基地局」という用語は、ＴＶＢＤ周波数において無線データを通信することができる基地局を含む。ＴＶＢＤ基地局は、非ＴＶＢＤ周波数において通信することもできる。
【０００９】
いくつかの状況において、ＴＶＢＤ  ＷＴＲＵは、米国ＦＣＣによって伝播される調整方式に従って動作することが必要となり得る。この調整方式によれば、認可されたＴＶＢＤ  ＷＴＲＵは、それらが認可されるＴＶＢＤチャネルにおいて動作することができる。未認可のＴＶＢＤ  ＷＴＲＵは、認可されたＴＶＢＤ  ＷＴＲＵに干渉を引き起こさないように、それらの地理的な周辺にある認可されたＴＶＢＤ  ＷＴＲＵによって占有されていないチャネル上で動作することができる。認可されたＷＴＲＵによって占有されていない、未認可のＷＴＲＵが動作することができるチャネルは、「ホワイトスペース」または「ホワイトスペースチャネル」と呼ばれる。
【００１０】
ＦＣＣは、どの地理的エリアにおいてどのチャネルが認可されたＷＴＲＵに割り当てられたかについて示す中央ＴＶＢＤデータベースを維持することができる。未認可のＷＴＲＵは、定期的に、またはトリガイベントに応答してＴＶＢＤデータベースに対して問合せすることが必要となり得る。データベースに対して問合せするために、未認可のＷＴＲＵは、ＷＴＲＵの位置を示す情報をデータベースに送信することができる。データベースは、ＷＴＲＵの位置に基づいて、その現在の位置で、どのチャネル（ある場合）において動作することができるかを決定する。ＴＶＢＤデータベースは複製することができ、データベース内の情報は、非政府のデータベースプロバイダによって提供することができる。プロバイダのデータベースは、全ＴＶＢＤデータベース内の全データを含むことができ、または特定の地理的エリアだけに適用できるサブセットを含むことができる。未認可のＷＴＲＵは、中央データベース自体の代わりにデータベースプロバイダのデータベースと通信するように構成することができるが、未認可のＷＴＲＵおよびプロバイダのデータベースは、中央データベースに関して上記の同じ問合せ／応答機構を実装することができる。それぞれのデータベースにわたってデータの一貫性を確実にするように、中央ＴＶＢＤデータベースおよびデータベースプロバイダのＴＶＢＤデータベースは、定期的におよび／またはトリガイベントに応答して通信することができる。
【００１１】
未認可のＷＴＲＵは、認可されたＷＴＲＵを検出するために検知測定を実行することが必要となり得る。いくつかの状況において、未認可のＷＴＲＵが送信している間に、認可されたＷＴＲＵを検出することが困難な場合がある。したがって、未認可のＷＴＲＵは、チャネルの静寂化に参加することが必要となり得る。チャネルの静寂化により、未認可のＷＴＲＵは、しばらくの間チャネル上での送信を中止する。この間、ＷＴＲＵは、任意の認可されたＷＴＲＵがチャネル上に存在するかどうかを決定するためにチャネル上で感知することを実行することができる。すべての未認可のＷＴＲＵが送信を中止し、同時に感知を実行するように、チャネル上で動作している未認可のＷＴＲＵにわたってチャネルの静寂化を調整することができる。
【００１２】
未認可のＴＶＢＤ  ＷＴＲＵは、固定式、Ｍｏｄｅ  Ｉ、Ｍｏｄｅ  ＩＩ、またはＳＯ（感知のみ）の４つのタイプに分類することができる。表１は、４つのタイプの異なる特性を示す。
【００１３】
【表１】
0005395252.tif 000002
【００１４】
固定式のＷＴＲＵは、静止しており、特定の固定位置で動作する。固定式のＷＴＲＵは、４ワットのＥＩＲＰ電力（等価等方放射電力）を達成するために、アンテナ利得を含めて最高１ワットで動作することができない。固定式のＷＴＲＵは、認可されたＷＴＲＵが動作しているチャネルと隣接しているチャネルにおいて動作することができない。固定式のＷＴＲＵは、その地理位置に関連した情報を取得し、および／または格納することが必要となり得る。固定式のＷＴＲＵは、ＧＰＳ（全地球測位システム）技術、基地局の三角測量（ｂａｓｅ  ｓｔａｔｉｏｎ  ｔｒｉａｎｇｕｌａｔｉｏｎ）、および／または他の機構の任意の組合せまたは準組合せを介して地理位置情報を取得することができる。固定式のＷＴＲＵは、所与の位置でその最初のサービス伝送の前にＴＶＢＤデータベースにアクセスすることが必要となり得る。固定式のＷＴＲＵは、１日当たり１回ＴＶＢＤデータベースにアクセスしてチャネルの連続可用性を検査することも必要となり得る。固定式のＷＴＲＵは、チャネル上で定期的に静寂化し、検知測定を実行して、チャネルの連続可用性を検証することもできる。固定式のＷＴＲＵは、「マスター」装置として動作することができる。マスター装置は、ＦＣＣデータベースによって提供される使用可能なチャネルのリストを受信することができ、他のＷＴＲＵがどのチャネルにおいて動作することができるかについて示す情報（「イネーブル信号」または「イネーブル情報」と呼ばれる）を他のＷＴＲＵに送信することができる。マスターＷＴＲＵは、このイネーブル情報について他のいかなるＷＴＲＵにも依存しない。
【００１５】
Ｍｏｄｅ  ＩＩ  ＷＴＲＵは、固定式または携帯式とすることができ、アンテナ利得なしで１００ミリワットのＥＩＲＰの最大送信電力を使用して送信することができる。Ｍｏｄｅ  ＩＩ  ＷＴＲＵは、セル間、または無線アクセスネットワーク内の他の細区分の間でローミングし得る。Ｍｏｄｅ  ＩＩ  ＷＴＲＵは、その地理位置に関連した情報を取得し、および／または格納することが必要となり得る。Ｍｏｄｅ  ＩＩ  ＷＴＲＵは、ＧＰＳ（全地球測位システム）技術、基地局の三角測量、および／または他の機構の任意の組合せまたは準組合せを介して地理位置情報を取得することができる。Ｍｏｄｅ  ＩＩ  ＷＴＲＵは、所与の位置でその最初のサービス伝送の前に、それがパワーオフ状態から起動するたびに、動作中位置を変更する場合に、および／または動力状態であった場合は１日当たり１回、ＴＶＢＤデータベースにアクセスすることが必要となり得る。Ｍｏｄｅ  ＩＩ  ＷＴＲＵは、チャネル上で定期的に静寂化し、チャネルの連続可用性を検証するために、検知測定を実行することもできる。Ｍｏｄｅ  ＩＩ  ＷＴＲＵは、マスター装置として動作することができる。
【００１６】
Ｍｏｄｅ  Ｉ  ＷＴＲＵは、固定式または携帯式とすることができ、１００ミリワットのＥＩＲＰの最大送信電力を使用して送信することができる。Ｍｏｄｅ  Ｉ  ＷＴＲＵは、セル間、または無線アクセスネットワーク内の他の細区分の間でローミングすることができる。Ｍｏｄｅ  Ｉ  ＷＴＲＵは、ＴＶＢＤデータベースにアクセスする必要はなく、「スレーブ」装置として動作することができ、これは、マスター装置からイネーブル情報を取得することを意味する。Ｍｏｄｅ  Ｉ装置は、それが通信するＭｏｄｅ  ＩＩまたは固定式のＷＴＲＵのための地理位置情報を取得することもできる。
【００１７】
固定式のＴＶＢＤ  ＷＴＲＵは、認可されたＴＶＢＤ  ＷＴＲＵによって使用されるチャネルに隣接するチャネルにおいて通信を行うことができない。Ｍｏｄｅ  Ｉ、Ｍｏｄｅ  ＩＩ、およびＳＯ  ＴＶＢＤ  ＷＴＲＵは、認可されたＴＶＢＤ  ＷＴＲＵによって使用されるチャネルに隣接するチャネルにおいて動作することができるが、そうするときに、４０ミリワットを超えて送信を行うことはできない。すべてのタイプのＴＶＢＤ  ＷＴＲＵは、認可されたＴＶＢＤ  ＷＴＲＵを感知することができなければならない。
【００１８】
ＳＯ  ＷＴＲＵは、ＴＶＢＤ周波数でデータを送受信することはできるが、ＴＶＢＤ周波数で５０ミリワットのＥＩＲＰの最大送信電力で送信を行うことができる。ＳＯ  ＷＴＲＵは、ＴＶＢＤデータベースと接続できる必要はない。
【００１９】
ＴＶＢＤ  ＷＴＲＵは、固定式のＷＴＲＵ、Ｍｏｄｅ  Ｉ  ＷＴＲＵ、Ｍｏｄｅ  ＩＩ  ＷＴＲＵ、ＳＯ  ＷＴＲＵ、またはそれらの任意の組合せとしての動作間で切り替えることができる。Ｍｏｄｅ  Ｉ  ＷＴＲＵまたはＭｏｄｅ  ＩＩ  ＷＴＲＵとして動作しているＷＴＲＵは、例えば、ＴＶＢＤデータベースおよび／またはマスターＷＴＲＵへのアクセスを提供する接続を確立することができないとき、ＳＯ  ＷＴＲＵとして動作することに切り替えることができる。
【００２０】
基地局または非基地局のＷＴＲＵである固定式またはＭｏｄｅ  ＩＩ  ＷＴＲＵは、１つまたは複数の他のＷＴＲＵのマスターＷＴＲＵとして働くことができる。非マスターＷＴＲＵは、基地局および／または非基地局ＷＴＲＵでもよい。
【００２１】
図１は、ＴＶＢＤ周波数における無線データの通信のためのアーキテクチャ例１００を示す。アーキテクチャ例１００は、中央ＴＶＢＤデータベースサーバ１０２を含む。中央ＴＶＢＤデータベースサーバ１０２は、認可されたおよび未認可のＴＶＢＤ  ＷＴＲＵの位置情報を含み得る中央データベースを管理する。中央データベースは、例えば、中央ＦＣＣ  ＴＶＢＤデータベースでもよい。
【００２２】
アーキテクチャ例１００は、その管理されたエリア１９２におけるチャネルの静寂化および検知を管理するスペクトルマネージャ１９０を含む。スペクトルマネージャ１９０は、中央ＴＶＢＤデータベースサーバ１０２にアクセスすることができ、中央データベースに対して問合せをし、対象のレコードを更新することができる。
【００２３】
スペクトルマネージャ１９０は、それ自体のローカルデータベースを管理することができる。ローカルデータベースは、その管理されたエリア１９２において動作している未認可のＷＴＲＵごとの１つまたは複数のレコードを含むことができる。各レコードは、ＷＴＲＵごとに、以下の情報、すなわちクライアントＩＤ、イネーブルＷＴＲＵ  ＩＤ、地理位置に関連した情報、位置情報の精度を示す情報、中心周波数、使用する最大帯域幅、最大送信電力、アクセス開始時刻、アクセス終了時刻（スケジュールされている場合）、媒体アクセス制御（ＭＡＣ）アドレス、無線ネットワークアクセスポイントのＭＡＣアドレス、および無線機能情報のうちの一部または全部を含むことができる。無線機能情報は、サポートされるＲＡＴ、サポートされる周波数、サポートされるデータレート、サポートされるサービス、モビリティの説明（例えば、固定、移動中、歩行者または遅い車両の速度で移動中か）、電力機能（例えば、無制限、制限されている、電力の１時間の蓄えを超える処理、電力の１時間の蓄え未満の処理）、感知および測定機能、アンテナ機能の情報のうちの一部または全部を含むことができる。
【００２４】
スペクトルマネージャ１９０によって管理されるデータベースは、スペクトルマネージャによって管理されるＴＶＢＤチャネルごとに、１つまたは複数のレコードをさらに含むことができる。各チャネルレコードは、チャネルが認可されたユーザによってブロックされているか、使用可能か、チャネルが占有されているかどうか、チャネルにおいて現在使用されているＲＡＴのリスト、すべてのＲＡＴにわたるチャネルにおける総チャネル負荷および／または時間使用情報、ならびにＲＡＴ当たりのチャネル負荷情報の情報のうちの一部または全部を含むことができる。
【００２５】
アーキテクチャ例１００は、管理されたエリア１９２にネットワークＡ１４０およびネットワークＢ１５０の２つの無線アクセスネットワークをさらに含む。ネットワークＡ１４０および／またはネットワークＢ１５０は、例えばＩＥＥＥ（米国電気電子技術者協会）８０２．１１ｘ、ＩＥＥＥ８０２．２２．ｘ、ＬＴＥ（Ｌｏｎｇ  Ｔｅｒｍ  Ｅｖｏｌｕｔｉｏｎ）、ＬＴＥ―Ａ（ＬＴＥ―Ａｄｖａｎｃｅｄ）、ＩＥＥＥ８０２．１６ｘ、ＩＥＥＥ８０２．２２ｘなどの技術、または他の任意の無線技術に基づき得る。ネットワークＡ１４０およびネットワークＢ１５０は、異なるＲＡＴに基づいていてもよい。
【００２６】
ネットワークＡ１４０は、例えばＷＴＲＵ  Ａ１  １４２およびＷＴＲＵ  Ａ２  １４４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ａ１  １４２およびＷＴＲＵ  Ａ２  １４４は、ネットワークＡ１４０がそれに基づくＲＡＴを使用して通信することができる。ＷＴＲＵ  Ａ２  １４４は、例えば、Ｍｏｄｅ  Ｉ  ＷＴＲＵでもよい。ＷＴＲＵ  Ａ１  １４２は、基地局または他のタイプのＷＴＲＵでもよく、固定式のＷＴＲＵまたはＭｏｄｅ  ＩＩ  ＷＴＲＵでもよい。ＷＴＲＵ  Ａ１  １４２は、マスターＷＴＲＵとして動作することができ、スペクトルマネージャ１９０を介して中央ＴＶＢＤデータベースサーバ１０２から情報を受信することができる。受信された情報は、イネーブル情報とすることができ、またはイネーブル情報がそれに基づき得る情報とすることができる。ＷＴＲＵ  Ａ１  １４２は、受信された情報に基づいてネットワークＡ１４０におけるＷＴＲＵ  Ａ２  １４４および／または他の非マスターＷＴＲＵ（図示せず）にイネーブル情報を提供することができる。ネットワークＡ１４０は、他のマスターＷＴＲＵ（図示せず）を含むこともできる。
【００２７】
ネットワークＢ１５０は、例えばＷＴＲＵ  Ｂ１  １５２およびＷＴＲＵ  Ｂ２  １５４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ｂ１  １５２およびＷＴＲＵ  Ｂ２  １５４は、ネットワークＢ１５０がそれに基づくＲＡＴを使用して通信することができる。ＷＴＲＵ  Ｂ２  １５４は、例えば、Ｍｏｄｅ  Ｉ  ＷＴＲＵでもよい。ＷＴＲＵ  Ｂ１  １５２は、基地局または他のタイプのＷＴＲＵでもよく、固定式のＷＴＲＵまたはＭｏｄｅ  ＩＩ  ＷＴＲＵでもよい。ＷＴＲＵ  Ｂ１  １５２は、マスターＷＴＲＵとして動作することができ、スペクトルマネージャ１９０を介して中央ＴＶＢＤデータベースサーバ１０２から情報を受信することができる。受信された情報は、イネーブル情報とすることができ、またはイネーブル情報がそれに基づき得る情報とすることができる。ＷＴＲＵ  Ｂ１  １５２は、受信された情報に基づいてネットワークＢ１５０におけるＷＴＲＵ  Ｂ２  １５４および／または他の非マスターＷＴＲＵ（図示せず）にイネーブル情報を提供することができる。ネットワークＢ１５０は、他のマスターＷＴＲＵ（図示せず）を含むこともできる。
【００２８】
スペクトルマネージャ１９０は、ネットワークＡ１４０および／またはネットワークＢ１５０のＷＴＲＵから、イベント駆動ネットワークステータス情報を受信することができる。例えばＷＴＲＵ  Ａ１  １４２、ＷＴＲＵ  Ａ２  １４４、ＷＴＲＵ  Ｂ１  １５２、またはＷＴＲＵ  Ｂ２  １５４などのＷＴＲＵは、位置を変える、チャネルを変える、またはチャネルにおいて認可されたＷＴＲＵを検出するときに、スペクトルマネージャ１９０に通知を送信することができる。スペクトルマネージャ１９０は、その管理されたエリア１９２内のＷＴＲＵから受信されたデータを中央ＴＶＢＤデータベースサーバ１０２にプッシュすることができ、および／または受信されたデータをそのローカルデータベースに格納することができる。
【００２９】
スペクトルマネージャ１９０は、その管理されたエリア１９２において、静寂化機能の調整を実施することができる。スペクトルマネージャ１９０は、静寂期間をスケジュールし、コマンド信号をその管理されたエリア１９２内のＷＴＲＵに送信することによってこれを達成する。
【００３０】
スペクトルマネージャ１９０は、管理されたエリア１９２において、ネットワークに関連したネットワークステータス情報に基づいて、静寂期間をスケジュールすることができる。静寂期間のスケジューリングは、静寂期間の開始時刻および／または終了時刻を決定することを含み得る。ネットワークステータス情報は、どのＴＶＢＤチャネルが使用可能か、使用可能なＴＶＢＤチャネルにおけるチャネルローディングおよび／もしくはチャネルの使用、ならびに／またはＲＡＴごとのチャネルの使用など、無線特性を含むことができる。あるいは、またはさらに、ＷＴＲＵが位置を変える、チャネルを変える、またはチャネルにおいて認可されたＷＴＲＵを検出するときなどのイベントに基づいて、スケジューリングは、ＷＴＲＵから受信されるイベント駆動のネットワークステータス情報に基づいてもよい。スペクトルマネージャ１９０は、さらに、認可されたユーザをよりよく検出するために、管理されたエリア１９２内のＷＴＲＵから受信される検知測定結果を集約することができる。
【００３１】
静寂期間のスケジューリングに加えて、スペクトルマネージャ１９０は、静寂期間を実施するために、管理されたエリア内のＷＴＲＵにコマンドを送信することができる。例えば、スペクトルマネージャ１９０は、チャネルの静寂化に関連したＷＴＲＵ  Ａ１  １４２およびＷＴＲＵ  Ｂ１  １５２にコマンドを送信することができる。ＷＴＲＵ  Ａ１およびＷＴＲＵ  Ｂ１  １５２は、例えばＷＴＲＵ  Ａ２  １４４およびＷＴＲＵ  Ｂ２  １５４など、それぞれのネットワーク１４０、１５０における他のＷＴＲＵにチャネルの静寂化に関連したコマンドを中継することもできる。これらのチャネルの静寂化コマンドは、ネットワークＡ１４０および／またはネットワークＢ１５０内のＷＴＲＵがコマンドでチャネルを静かにさせる、コマンドでチャネルを感知する、コマンドでスペクトルマネージャ１９０に感知測定を報告する、および／またはチャネルの切り替えを実行するなど、チャネルの静寂化に関するサービスを実行することを要求することができる。ネットワークＡ１４０および／またはネットワークＢ１５０内のＷＴＲＵは、コマンドに示すように行動を起こすことができる。
【００３２】
スペクトルマネージャ１９０は、さまざまな技術を使用して静寂期間を実施することができる。例えば、チャネルにおいて１つのＲＡＴのみが使用されているとき、スペクトルマネージャ１９０はチャネルにおける静寂化を調整することができ、現在のチャネルから代替のチャネルまで同じＲＡＴを使用している管理されたエリア１９２内のＷＴＲＵのすべてを割り当て直すことができ、いくつかのチャネルから単一のチャネルまで同じＲＡＴを使用しているすべてのＷＴＲＵを集約することができ、および／または他の技術を使用することができる。あるいは、またはさらに、スペクトルマネージャ１９０は、図４〜図６を参照して後述する方法を使用して静寂期間を調整することができる。
【００３３】
スペクトルマネージャ１９０と中央ＴＶＢＤデータベースサーバ１０２との間の通信は、インターネットを介して、および／または１つまたは複数のプライベートネットワークを介して行うことができる。スペクトルマネージャ１９０と、ＷＴＲＵ  Ａ１  １４２およびＷＴＲＵ  Ｂ１  １５２との間の通信は、インターネットを介して、および／または１つまたは複数のプライベートネットワークを介して行うこともできる。
【００３４】
さまざまな実装において、スペクトルマネージャ１９０と、管理されたエリア１９２内のＷＴＲＵとの間で通信されるものとして上述したメッセージは、異なるインターフェイスおよび／またはメッセージ形式を使用して通信され得る。例えば、ＩＥＥＥ８０２．２１ｘ  ＭＩＣ（Ｍｅｄｉａ  Ｉｎｄｅｐｅｎｄｅｎｔ  Ｃｏｏｒｄｉｎａｔｉｏｎ：媒体独立型調整）プロトコルおよび／またはＩＥＥＥ８０２．１９．１標準に従って定義された媒体独立型メッセージを使用することができる。あるいは、またはさらに、ＩＥＴＦ（Ｉｎｔｅｒｎｅｔ  Ｅｎｇｉｎｅｅｒｉｎｇ  Ｔａｓｋ  Ｆｏｒｃｅ）のＭＩＰＳＨＯＰ（Ｍｏｂｉｌｉｔｙ  ｆｏｒ  ＩＰ：  Ｐｅｒｆｏｒｍａｎｃｅ，  Ｓｉｇｎａｌｉｎｇ  ａｎｄ  Ｈａｎｄｏｆｆ  Ｏｐｔｉｍｉｚａｔｉｏｎ）ワーキンググループ標準に従って定義されたメッセージは、異なる層１および層２のインターフェイスの上の層３で使用され得る。さらに、それだけには限定されないが、ＩＥＥＥ８０２  １１ｕにおいて定義されたＩＥＥＥ８０２．２１のためのＭＩＣメッセージのコンテナ、ＩＥＥＥ８０２．１６ｇ／ｈにおいて定義されたＩＥＥＥ８０２．１６のためのＩＥＥＥ８０２．２１のコンテナおよびプリミティブ、ＩＥＥＥ８０２．２２．１および／またはＩＥＥＥ８０２．２２．２において定義された８０２．２２のためのＭＩＣメッセージのコンテナ、または非８０２ＷＴＲＵのためのＭＩＣメッセージのコンテナを含めて、任意の数の異なるメッセージタイプ、インターフェイス、およびプロトコルが使用されてもよい。
【００３５】
図２は、ＴＶＢＤ周波数における無線データの通信のための第２のアーキテクチャ例２００を示す。アーキテクチャ例２００は、ＴＶＢＤデータの中央データベースを管理することができる中心データベースサーバ２０２を含むことができる。ＴＶＢＤデータは、認可されたＴＶＢＤ  ＷＴＲＵ、およびそれらの認可された地理的エリア、未認可のＴＶＢＤ  ＷＴＲＵに関連した情報、および／またはＴＶＢＤ周波数における動作に関した他の情報を含み得る。中央ＴＶＢＤデータベースサーバ２０２は、データベースアクセスノードＡ２０４およびデータベースアクセスノードＢ２１４と通信することができる。データベースアクセスノードＡ２０４およびデータベースアクセスノードＢ２１４は、中央ＴＶＢＤデータベースの完全な複製またはその一部のサブセットを格納することができる。データベースアクセスノードＡ２０４および／またはデータベースアクセスノードＢ２１４は、例えば、それらがサービスを提供している地理的エリアに適用できる中央データベースの一部のみを格納することができる。
【００３６】
図２のアーキテクチャ例２００は、４つの無線アクセスネットワーク、ネットワークＡ２２０、ネットワークＢ２３０、ネットワークＣ２４０、およびネットワークＤ２５０を含み得る。これらのネットワーク２２０、２３０、２４０、２５０のそれぞれまたはいずれかは、例えばＩＥＥＥ８０２．１１ｘ、ＩＥＥＥ８０２．２２．ｘ、ＬＴＥ、ＬＴＥ―Ａ、ＩＥＥＥ８０２．１６ｘ、ＩＥＥＥ８０２．２２ｘなどの技術、または他の任意の無線技術に基づき得る。ネットワーク２２０、２３０、２４０、２５０は、異なるＲＡＴの任意の組合せを使用して動作することができる。データベースアクセスノードＡ２０４は、ネットワークＡ２２０を含む管理されたエリアＡ２９２を管理する。データベースアクセスノードＢ２１４は、ネットワークＣ２４０およびネットワークＤ２５０を含む管理されたエリアＢ２９４を管理する。
【００３７】
ネットワークＡ２２０は、例えばＷＴＲＵ  Ａ１  ２２２およびＷＴＲＵ  Ａ２  ２２４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ａ１  ２２２およびＷＴＲＵ  Ａ２  ２２４は、ネットワークＡ２２０がそれに基づくＲＡＴを使用して通信することができる。ＷＴＲＵ  Ａ２  ２２４は、例えば、Ｍｏｄｅ  Ｉ  ＷＴＲＵでもよい。ＷＴＲＵ  Ａ１  ２２２は、基地局または他のタイプのＷＴＲＵでもよく、固定式のＷＴＲＵまたはＭｏｄｅ  ＩＩ  ＷＴＲＵでもよい。ＷＴＲＵ  Ａ１  ２２２は、マスターＷＴＲＵとして動作することができ、データベースアクセスノードＡ２０４から情報を受信することができる。受信された情報は、イネーブル情報とすることができ、またはイネーブル情報がそれに基づき得る情報とすることができる。ＷＴＲＵ  Ａ１  ２２２は、受信された情報に基づいてネットワークＡ２２０におけるＷＴＲＵ  Ａ２  ２２４および／または他の非マスターＷＴＲＵ（図示せず）にイネーブル情報を提供することができる。ネットワークＡ２２０は、他のマスターＷＴＲＵ（図示せず）を含むこともできる。
【００３８】
ＷＴＲＵ  Ａ１  ２２２は、例えばＷＴＲＵ  Ａ１  ２２２の登録情報および証明書などの情報をデータベースアクセスノードＡ２０４に通信することができる。それに応答して、データベースアクセスノードＡ２０４は、ＷＴＲＵ  Ａ１  ２２２を登録すべきかどうかを決定し、登録が受け入れられたかどうか示す情報をＷＴＲＵ  Ａ１  ２２２に送信することができる。さらに、ＷＴＲＵ  Ａ１  ２２２は、それがどのＴＶＢＤチャネル上で動作することができるかについて決定するために、データベースアクセスノードＡ２０４に問合せ情報を通信することができる。問合せ情報は、地理位置、端末タイプ、送信電力に関連した情報、および／またはＷＴＲＵ  Ａ１  ２２２を記述している他の情報を含むことができる。データベースアクセスノードＡ２０４は、ＷＴＲＵ  Ａ１  ２２２が動作することができるＴＶＢＤチャネルのリストを示す１つまたは複数のメッセージをＷＴＲＵ  Ａ１  ２２２に送信することによって応答することができる。ＷＴＲＵ  Ａ１  ２２２は、例えばＷＴＲＵ  Ａ２  ２２４または他のＷＴＲＵなど、ネットワークＡ１２０内の非マスターＷＴＲＵの代わりに、データベースアクセスノードＡ２０４とのこうしたタイプの通信をさらに実行することができる。
【００３９】
ネットワークＣ２４０は、例えばＷＴＲＵ  Ｃ１  ２４２およびＷＴＲＵ  Ｃ２  ２４４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ｃ１  ２４２およびＷＴＲＵ  Ｃ２  ２４４は、ネットワークＣ２４０がそれに基づくＲＡＴを使用して通信することができる。ＷＴＲＵ  Ｃ２  ２４４は、例えば、Ｍｏｄｅ  Ｉ  ＷＴＲＵでもよい。ＷＴＲＵ  Ｃ１  ２４２は、基地局または他のタイプのＷＴＲＵでもよく、固定式のＷＴＲＵまたはＭｏｄｅ  ＩＩ  ＷＴＲＵでもよい。ＷＴＲＵ  Ｃ１  ２４２は、マスターＷＴＲＵとして動作することができ、データベースアクセスノードＡ２０４から情報を受信することができる。受信された情報は、イネーブル情報とすることができ、またはイネーブル情報がそれに基づき得る情報とすることができる。ＷＴＲＵ  Ｃ１  ２４２は、受信された情報に基づいてネットワークＣ２４０におけるＷＴＲＵ  Ｃ２  ２４４および／または他の非マスターＷＴＲＵ（図示せず）にイネーブル情報を提供することができる。ネットワークＣ２４０は、他のマスターＷＴＲＵ（図示せず）を含むこともできる。
【００４０】
ネットワークＤ２５０は、例えばＷＴＲＵ  Ｄ１  ２５２およびＷＴＲＵ  Ｄ２  ２５４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ｄ１  ２５２およびＷＴＲＵ  Ｄ２  ２５４は、ネットワークＤ２５０がそれに基づくＲＡＴを使用して通信することができる。ＷＴＲＵ  Ｄ２  ２５４は、例えば、Ｍｏｄｅ  Ｉ  ＷＴＲＵでもよい。ＷＴＲＵ  Ｄ１  ２５２は、基地局または他のタイプのＷＴＲＵでもよく、固定式のＷＴＲＵまたはＭｏｄｅ  ＩＩ  ＷＴＲＵでもよい。ＷＴＲＵ  Ｄ１  ２５２は、マスターＷＴＲＵとして動作することができ、データベースアクセスノードＡ２０４から情報を受信することができる。受信された情報は、イネーブル情報とすることができ、またはイネーブル情報がそれに基づき得る情報とすることができる。ＷＴＲＵ  Ｄ１  ２５２は、受信された情報に基づいてネットワークＤ２５０におけるＷＴＲＵ  Ｄ２  ２５４および／または他の非マスターＷＴＲＵ（図示せず）にイネーブル情報を提供することができる。ネットワークＤ２５０は、他のマスターＷＴＲＵ（図示せず）を含むこともできる。
【００４１】
図２のアーキテクチャ例２００は、ネットワークＢ２３０をさらに含む。ネットワークＢは、例えばＷＴＲＵ  Ｂ１  ２３２およびＷＴＲＵ  Ｂ２  ２３４など、ＳＯ  ＴＶＢＤ  ＷＴＲＵを含むことができる。ネットワークＢは、例えばアドホックネットワークでもよく、例えばＩＥＥＥ８０２．１１、８０２．１５、Ｚｉｇｂｅｅ、Ｂｌｕｅｔｏｏｔｈなどの技術、または他の任意の無線技術に基づき得る。ＷＴＲＵ  Ｂ１  ２３２およびＷＴＲＵ  Ｂ２  ２３４は、ネットワークＢ２３０がそれに基づくＲＡＴを使用して通信することができる。図２に示すように、ネットワークＢ２３０内のＷＴＲＵのいずれも、データベースアクセスノードへの接続がない。ネットワークＢ２３０内のＷＴＲＵがＳＯ  ＷＴＲＵであるため、こうした接続は必要とされない。アーキテクチャ例２００は、ＳＯ  ＴＶＢＤ  ＷＴＲＵで構成される他のアドホックネットワーク（図示せず）をさらに含むことができる。他のアドホックネットワークは、ネットワークＡ２２０、ネットワークＢ２３０、ネットワークＣ２４０、ネットワークＤ２５０によって使用されるＲＡＴのいずれか、および／または他の任意の適したＲＡＴを使用して動作することができる。
【００４２】
データベースアクセスノードＡ２０４および／またはデータベースアクセスノードＢ２１４は、ネットワークＢ２３０内のＷＴＲＵと通信することができる。これは、例えばビーコン信号、チャネルジャム信号、マイクロホンＲＦ（無線周波数）エイリアス、および／またはブロードキャストＲＦエイリアスなどの間接的な信号を使用することによって実行することができる。データベースアクセスノードＡ２０４および／またはデータベースアクセスノードＢ２１４は、データアクセスノードＡ２０４、データアクセスノードＢ２１４と、それぞれの管理されたエリア２９２、２９４内のＷＴＲＵとの間で通信されるように、上記のデータと同一および／または類似のデータをネットワークＢ２３０内のＷＴＲＵに通信することができる。
【００４３】
図２のアーキテクチャ例２００において、チャネルの静寂化は、いくつかの方法で管理することができる。例えば、チャネルの静寂化は、さまざまなアクセスポイントおよび異なるネットワーク２２０、２３０、２４０、２５０内の他のＷＴＲＵにわたって分散される方法で管理することができる。あるいは、またはさらに、チャネルの静寂化管理機能は、データベースアクセスノード２０４、２１４において管理することができ、ならびに／またはアクセスポイントおよび異なるネットワーク２２０、２３０、２４０、２５０内の他のＷＴＲＵと連動してデータベースアクセスノード２０４、２１４によって管理することができる。チャネルの静寂化は、図４〜図６を参照して後述する方法を使用して、および／または他の技術を使用して調整することができる。
【００４４】
中央ＴＶＢＤデータベースサーバ２０２とデータベースアクセスノード２０４、２１４との間の通信は、インターネットを介して、および／または１つまたは複数のプライベートネットワークを介して行うことができる。データベースアクセスノード２０４、２１４と、それぞれの管理されたエリア２９２、２９４内のイネーブルのＷＴＲＵ２２２、２４２、２５２との間の通信は、インターネットを介して、および／または１つまたは複数のプライベートネットワークを介して行うこともできる。データベースアクセスノード２０４、２１４と、それぞれの管理されたエリア２９２、２９４内のイネーブルのＷＴＲＵ２２２、２４２、２５２との間のインターフェイスは、媒体固有または媒体依存のインターフェイスとすることができる。
【００４５】
管理されたエリアＡ２９２および管理されたエリアＢ２９４は、重複しないものとして図２に示されているが、さまざまな実装において、管理されたエリアは、地理的に重複していてもよく、または地理的に個別でもよい。さらに、ネットワークＡ２２０、ネットワークＢ２３０、ネットワークＣ２４０、およびネットワークＤ２５０は、重複しないものとして図２に示されているが、さまざまな実装において、アーキテクチャ例２００に含まれるネットワークの任意のサブセットまたは準組合せは、地理的に重複していてもよく、または地理的に個別でもよい。あるいは、またはさらに、アーキテクチャ例２００内の任意のネットワーク内の任意のＷＴＲＵは、アーキテクチャ例２００内の異なるネットワークの間で移動することができる。図２は、２つのデータベースアクセスノード２０４、２１４、２つの管理されたエリア２９２、２９４、および４つのネットワーク２２０、２３０、２４０、２５０を示すが、アーキテクチャ例２００のさまざまな実装は、任意の数の管理されたエリア、ネットワーク、およびＷＴＲＵを含むことができる。
【００４６】
図３は、ＴＶＢＤ周波数における無線データの通信のための第３のアーキテクチャ例３００を示す。図３のアーキテクチャ例３００は、４つの無線アクセスネットワーク、ネットワークＡ３２０、ネットワークＢ３３０、ネットワークＣ３４０、およびネットワークＤ３５０を含み得る。これらのネットワーク３２０、３３０、３４０、３５０のそれぞれまたはいずれかは、例えばＩＥＥＥ８０２．１１ｘ、ＩＥＥＥ８０２．２２．ｘ、ＬＴＥ、ＬＴＥ―Ａ、ＩＥＥＥ８０２．１６ｘ、ＩＥＥＥ８０２．２２ｘなどの技術、または他の任意の無線技術に基づいていてもよく、ネットワーク３２０、３３０、３４０、３５０は、異なるＲＡＴの任意の組合せを使用して動作することができる。
【００４７】
図３のアーキテクチャ例３００は、ＴＶＢＤデータの中央データベースを管理する中央データベースサーバ３０２を含む。ＴＶＢＤデータは、認可されたＴＶＢＤ  ＷＴＲＵおよびそれらの認可された地理的エリア、未認可のＴＶＢＤ  ＷＴＲＵに関連した情報、ならびに／またはＴＶＢＤ周波数における動作に関連した他の情報を含むことができる。
【００４８】
中央ＴＶＢＤデータベースサーバ３０２は、データベースアクセスノードＡ３０４およびデータベースアクセスノードＢ３１４と通信することができる。データベースアクセスノードＡ３０４およびデータベースアクセスノードＢ３１４は、中央ＴＶＢＤデータベースの完全な複製またはその一部のサブセットを格納することができる。データベースアクセスノードＡ３０４および／またはデータベースアクセスノードＢ３１４は、例えば、それらが管理している地理的エリアに適用できる中央データベースの一部のみを格納することができる。
【００４９】
データベースアクセスノードＡは、共存サービスノード（Ｃｏｅｘｉｓｔｅｎｃｅ  Ｓｅｒｖｉｃｅ  Ｎｏｄｅ）Ａ３０６と通信することができる。同時に、データベースアクセスノードＡ３０４および共存サービスノードＡ３０６は、例えばネットワークＡ３２０など、管理されたエリアＡ３９２内のネットワークの動作を管理することができる。データベースアクセスノードＢ３１４は、共存サービスノードＢ３１６と通信することができる。同時に、データベースアクセスノードＢ３１４および共存サービスノードＢ３１６は、ネットワークＣ３４０およびネットワークＤ３５０を含む管理されたエリアＢ３９４を管理することができる。
【００５０】
ネットワークＡ３２０は、例えばＷＴＲＵ  Ａ１  ３２２およびＷＴＲＵ  Ａ２  ３２４など、固定式、Ｍｏｄｅ  Ｉ、Ｍｏｄｅ  ＩＩ、および／またはＳＯ  ＴＶＢＤ  ＷＴＲＵの任意の組合せを含むことができる。ネットワークＡ３２０は、例えばＩＥＥＥ８０２．１１ｘ、ＩＥＥＥ８０２．２２．ｘ、ＬＴＥ、ＬＴＥ―Ａ、ＩＥＥＥ８０２．１６ｘ、ＩＥＥＥ８０２．２２ｘなどの技術、または他の任意の無線技術に基づく無線アクセスネットワークとすることができる。ＷＴＲＵ  Ａ１  ３２２およびＷＴＲＵ  Ａ２  ３２４は、ネットワークＡ３２０がそれに基づくＲＡＴを使用して通信することができる。ＷＴＲＵ  Ａ２  ３２４は、例えば、Ｍｏｄｅ  Ｉ  ＷＴＲＵでもよい。ＷＴＲＵ  Ａ１  ３２２は、基地局または他のタイプのＷＴＲＵでもよく、固定式のＷＴＲＵまたはＭｏｄｅ  ＩＩ  ＷＴＲＵでもよい。ＷＴＲＵ  Ａ１  ３２２は、マスターＷＴＲＵとして動作することができ、データベースアクセスノードＡ３０４からイネーブル情報を受信することができる。受信された情報は、イネーブル情報とすることができ、またはイネーブル情報がそれに基づき得る情報とすることができる。ＷＴＲＵ  Ａ１  ３２２は、受信された情報に基づいてネットワークＡ３２０におけるＷＴＲＵ  Ａ２  ３２４および／または他の非マスターＷＴＲＵ（図示せず）にイネーブル情報を提供することができる。ネットワークＡ３２０は、他のマスターＷＴＲＵ（図示せず）を含むこともできる。
【００５１】
ＷＴＲＵ  Ａ１  ３２２は、例えばＷＴＲＵ  Ａ１  ３２２の登録情報および証明書などの情報をデータベースアクセスノードＡ３０４に通信することができる。それに応答して、データベースアクセスノードＡ３０４は、ＷＴＲＵ  Ａ１  ３２２を登録すべきかどうかを決定し、登録が受け入れられたかどうか示す情報をＷＴＲＵ  Ａ１  ３２２に送信することができる。さらに、ＷＴＲＵ  Ａ１  ３２２は、それがどのＴＶＢＤチャネル上で動作することができるかについて決定するために、データベースアクセスノードＡ３０４に問合せ情報を通信することができる。問合せ情報は、地理位置、端末タイプ、送信電力に関連した情報、および／またはＷＴＲＵ  Ａ１  ３２２を記述している他の情報を含むことができる。データベースアクセスノードＡ３０４は、ＷＴＲＵ  Ａ１  ３２２が動作することができるＴＶＢＤチャネルのリストを示す１つまたは複数のメッセージをＷＴＲＵ  Ａ１  ３２２に送信することによって応答することができる。ＷＴＲＵ  Ａ１  ３２２は、例えばＷＴＲＵ  Ａ２  ３２４または他のＷＴＲＵなど、ネットワークＡ１２０内の非マスターＷＴＲＵの代わりに、データベースアクセスノードＡ３０４とのこうしたタイプの通信をさらに実行することができる。データベースアクセスノードＡ３０４とＷＴＲＵ  Ａ１  ３２２との間の通信は、共存サービスノードＡ３０６を介して実行することができる。
【００５２】
ネットワークＣ３４０は、例えばＷＴＲＵ  Ｃ１  ３４２およびＷＴＲＵ  Ｃ２  ３４４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ｃ１  ３４２およびＷＴＲＵ  Ｃ２  ３４４は、ネットワークＣ３４０がそれに基づくＲＡＴを使用して通信することができる。ＷＴＲＵ  Ｃ２  ３４４は、例えば、Ｍｏｄｅ  Ｉ  ＷＴＲＵでもよい。ＷＴＲＵ  Ｃ１  ３４２は、基地局または他のタイプのＷＴＲＵでもよく、固定式のＷＴＲＵまたはＭｏｄｅ  ＩＩ  ＷＴＲＵでもよい。ＷＴＲＵ  Ｃ１  ３４２は、マスターＷＴＲＵとして動作することができ、データベースアクセスノードＢ３１４から情報を受信することができる。受信された情報は、イネーブル情報とすることができ、またはイネーブル情報がそれに基づき得る情報とすることができる。ＷＴＲＵ  Ｃ１  ３４２は、受信された情報に基づいてネットワークＣ３４０におけるＷＴＲＵ  Ｃ２  ３４４および／または他の非マスターＷＴＲＵ（図示せず）にイネーブル情報を提供することができる。ネットワークＣ３４０は、他のマスターＷＴＲＵ（図示せず）を含むこともできる。データベースアクセスノードＢ３１４とＷＴＲＵ  Ｃ１  ３４２との間の通信は、共存サービスノードＢ３１６を介して実行することができる。
【００５３】
ネットワークＤ３５０は、例えばＷＴＲＵ  Ｄ１  ３５２およびＷＴＲＵ  Ｄ２  ３５４など、固定式、Ｍｏｄｅ  Ｉ、Ｍｏｄｅ  ＩＩ、および／またはＳＯ  ＴＶＢＤ  ＷＴＲＵの任意の組合せを含むことができる。ＷＴＲＵ  Ｄ１  ３５２およびＷＴＲＵ  Ｄ２  ３５４は、ネットワークＤ３５０がそれに基づくＲＡＴを使用して通信することができる。ＷＴＲＵ  Ｄ２  ３５４は、例えば、Ｍｏｄｅ  Ｉ  ＷＴＲＵでもよい。ＷＴＲＵ  Ｄ１  ３５２は、基地局または他のタイプのＷＴＲＵでもよく、固定式のＷＴＲＵまたはＭｏｄｅ  ＩＩ  ＷＴＲＵでもよい。ＷＴＲＵ  Ｄ１  ３５２は、マスターＷＴＲＵとして動作することができ、データベースアクセスノードＢ３１４から情報を受信することができる。受信された情報は、イネーブル情報とすることができ、またはイネーブル情報がそれに基づき得る情報とすることができる。ＷＴＲＵ  Ｄ１  ３５２は、受信された情報に基づいてネットワークＤ３５０におけるＷＴＲＵ  Ｄ２  ３５４および／または他の非マスターＷＴＲＵ（図示せず）にイネーブル情報を提供することができる。ネットワークＤ３５０は、他のマスターＷＴＲＵ（図示せず）を含むこともできる。データベースアクセスノードＢ３１４とＷＴＲＵ  Ｄ１  ３５２との間の通信は、共存サービスノードＢ３１６を介して実行することができる。
【００５４】
図３のアーキテクチャ例３００は、ネットワークＢ３３０をさらに含む。ネットワークＢは、例えばＷＴＲＵ  Ｂ１  ３３２およびＷＴＲＵ  Ｂ２  ３３４など、ＳＯ  ＴＶＢＤ  ＷＴＲＵのみを含むことができる。ネットワークＢは、例えばアドホックネットワークでもよく、例えばＩＥＥＥ８０２．１１、８０２．１５、Ｚｉｇｂｅｅ、Ｂｌｕｅｔｏｏｔｈなどの技術、または他の任意の無線技術に基づき得る。ＷＴＲＵ  Ｂ１  ３３２およびＷＴＲＵ  Ｂ２  ３３４は、ネットワークＢ３３０がそれに基づくＲＡＴを使用して通信することができる。図３に示すように、ネットワークＢ３３０内のＷＴＲＵのいずれも、データベースアクセスノードへの接続がない。ネットワークＢ３３０内のＷＴＲＵがＳＯ  ＷＴＲＵであるため、こうした接続は必要ない。アーキテクチャ例３００は、ＳＯ  ＷＴＲＵで構成される他のアドホックネットワーク（図示せず）をさらに含むことができる。他のアドホックネットワークは、ネットワークＡ３２０、ネットワークＢ３３０、ネットワークＣ３４０、ネットワークＤ３５０によって使用されるＲＡＴのいずれか、および／または他の任意の適したＲＡＴを使用して動作することができる。
【００５５】
共存サービスノードＡ３０６および／または共存サービスノードＢは、それぞれの管理されたエリア３９２、３９４内のＷＴＲＵに関連した情報の各自のローカルデータベースを維持することができる。さらに、共存サービスノードＡ３０６および共存サービスノードＢ３１６は、ネットワークおよび／またはそれらが管理しているＷＴＲＵにおいて重なりを有するとき、それぞれのデータベースを同期させるためのデータを通信することができる。
【００５６】
データベースアクセスノードＡ３０４および／またはデータベースアクセスノードＢ３１４は、ネットワークＢ３３０内のＷＴＲＵと通信することができる。これは、例えばビーコン信号、チャネルジャム信号、マイクロホンＲＦ（無線周波数）エイリアス、および／またはブロードキャストＲＦエイリアスなどの間接的な信号を使用することによって実行することができる。データベースアクセスノードＡ３０４および／またはデータベースアクセスノードＢ３１４は、データアクセスノードＡ３０４、データアクセスノードＢ３１４と、それぞれの管理されたエリア３９２、３９４内のＷＴＲＵとの間で通信される上記のデータと同一および／または類似のデータをネットワークＢ３３０内のＷＴＲＵに通信することができる。
【００５７】
上記の通信に加えて、またはその代替として、管理されたエリア３９２、３９４内のＷＴＲＵは、物理層パラメータ、干渉閾値、サービス要件、共存機能、および好適な共存パラメータに関連したそれぞれの共存サービスノード３０６、３１６にデータを送信することができる。共存機能は、ＷＴＲＵがどの周波数で動作することができるか、ＷＴＲＵがどのタイプの測定を行うことができるか、ＷＴＲＵが動的な周波数の選択を実行することができるかどうか、および静寂期間に関連した共存サービスノード３０６、３１６からの要求またはコマンドをＷＴＲＵがサポートするかどうかに関連した情報を含むことができる。共存サービスノード３０６、３１６は、例えば、管理されたエリアにおいて動作している他のＷＴＲＵに関する情報、使用可能なチャネルおよび共存機構、ならびに／またはネゴシエートされた共存パラメータなどのデータをそれぞれの管理されたエリア３９２、３９４内のＷＴＲＵに送信することができる。他のＷＴＲＵに関する情報は、例えば、他のＷＴＲＵが動作しているチャネルを示す情報、および他のＷＴＲＵによって使用される他のＲＡＴに関する情報を含むことができる。
【００５８】
共存サービスノードＡ３０６および／または共存サービスノードＢ３１６は、スペクトルマネージャ３９０と通信することができる。スペクトルマネージャ３９０は、管理されたエリアＡ３９２および管理されたエリアＢ３９４内のネットワーク３２０、３４０、３５にわたるチャネルの割り当ておよび／または再割り当てに関連した機能を実行することができる。さまざまな実装において、図１のスペクトルマネージャ１９０に帰すものとして上述した機能は、共存サービスノード３０６、３１６によって、スペクトルマネージャ３９０によって、または共存サービスノード３０６、３１６およびスペクトルマネージャ３９０の組合せによって実行することができる。
【００５９】
中央ＴＶＢＤデータベースサーバ３０２、データベースアクセスノード３０４、３１４、共存サービスノード３０６、３１６、および／またはスペクトルマネージャ３９０の間の通信は、インターネットを介して、および／または１つまたは複数のプライベートネットワークを介して行うことができる。共存サービスノード３０６、３１６と、それぞれの管理されたエリア３９２、３９４内のイネーブルのＷＴＲＵ３２２、３４２、３５２との間の通信は、インターネットを介して、および／または１つまたは複数のプライベートネットワークを介して行うことができる。共存サービスノード３０６、３１６と、それぞれの管理されたエリア３９２、３９４内のイネーブルのＷＴＲＵ３２２、３４２、３５２との間のインターフェイスは、媒体固有または媒体依存のインターフェイスとすることができる。
【００６０】
管理されたエリアＡ３９２および管理されたエリアＢ３９４は、重複しないものとして図３に示されているが、さまざまな実装において、管理されたエリア３９２、３９４は、地理的に重複していてもよく、または地理的に個別でもよい。さらに、ネットワークＡ３９２、ネットワークＢ３３０、ネットワークＣ３４０、およびネットワークＤ３５０は、重複しないものとして図３に示されているが、さまざまな実装において、アーキテクチャ例３００に含まれるネットワークの任意のサブセットまたは準組合せは、地理的に重複していてもよく、または地理的に個別でもよい。あるいは、またはさらに、アーキテクチャ例３００内の任意のネットワーク内の任意のＷＴＲＵは、アーキテクチャ例３００内の異なるネットワークの間で移動することができる。図３は、２つのデータベースアクセスノード３０４、３１４、２つの管理されたエリア３９２、３９４、および４つのネットワーク３２０、３３０、３４０、３５０を示すが、アーキテクチャ例３００のさまざまな実装は、任意の数の管理されたエリア、ネットワーク、およびＷＴＲＵを含むことができる。
【００６１】
図３は、データベースアクセスノードＡ３０４、および共存サービスノードＡ３０６を個別のエンティティとして示しているが、さまざまな実装において、これらのエンティティは、同じオペレータの制御下にあってもよい。あるいは、またはさらに、共存サービスノードＡおよびデータベースアクセスノードＡ３０４に帰すものとして上述した機能は、単一の装置に実装することができる。これは、データベースアクセスノードＢ３１４および共存サービスノードＢ３１６にも準用される。
【００６２】
図４は、一時的なチャネル再割り当てを含む複数のＲＡＴにわたるチャネルの静寂化の調整のための方法例を示す。図４の方法は、状態Ａ４０２で開始する。状態Ａ４０２で、１つまたは複数のＴＶＢＤ  ＷＴＲＵの３つのグループ（グループ１、グループ２、およびグループ３）は、管理されたエリアにおいて動作している。グループ１、グループ２、およびグループ３のＷＴＲＵは、未認可のＴＶＢＤ  ＷＴＲＵでもよい。グループ１のＷＴＲＵは、第１のＲＡＴ（ＲＡＴ１）を使用して、ＴＶＢＤチャネルＡにおいて無線データを通信することができる。グループ２のＷＴＲＵは、第２のＲＡＴ（ＲＡＴ２）を使用してチャネルＡにおいて無線データを通信することができる。グループ３のＷＴＲＵは、ＲＡＴ２を使用してチャネルＣにおいて無線データを通信することができる。グループ２およびグループ３のＷＴＲＵは同じＲＡＴを使用するが、同じまたは異なるアクセスネットワークにあってもよい。
【００６３】
スペクトル管理エンティティ（図示せず）は、グループ１、グループ２、およびグループ３のＷＴＲＵに関連したデータを受信することができる。データは、例えば、ＷＴＲＵが通信しているチャネル、ＷＴＲＵによって使用されるＲＡＴ、および／または他の情報を示すことができる。スペクトル管理エンティティは、チャネルＡにおいて静寂期間が起こらなければならないことを決定することができる。スペクトル管理エンティティは、グループ１およびグループ２のＷＴＲＵに、チャネルＡからチャネルＢに移動しなければならないことを示すコマンドを送信することができる。静寂期間が開始する前に、グループ１およびグループ２のＷＴＲＵは、チャネルＢに移動する。グループ３のＷＴＲＵは、チャネルＣにとどまる。
【００６４】
状態Ｂ４０４では、静寂期間が開始している。グループ１およびグループ２のＷＴＲＵは、チャネルＢに移動している。静寂期間中、チャネルＡにおいて検知を実行することができる。静寂期間中、グループ１およびグループ２のＷＴＲＵは、チャネルＢにおいて無線データを通信することができる。スペクトル管理エンティティは、グループ１およびグループ２のＷＴＲＵに、チャネルＢからチャネルＡに戻る必要があることを示すコマンドを送信することができる。静寂期間が終わると、グループ１およびグループ２のＷＴＲＵは、チャネルＡに戻る。グループ３のＷＴＲＵは、チャネルＣにとどまり、チャネルＣにおいて無線データを通信する。
【００６５】
状態Ｃ４０６では、静寂期間が終了している。グループ１およびグループ２のＷＴＲＵは、チャネルＡに戻っており、チャネルＡにおいて無線データを通信することができる。チャネルＢは現在空である。グループ３のＷＴＲＵは、チャネルＣにとどまり、チャネルＣにおいて無線データを通信する。
【００６６】
図５は、同じチャネルにおいて同じＲＡＴを使用しているＷＴＲＵの集合を含む、複数のＲＡＴにわたるチャネルの静寂化の調整のための方法例を示す。図５の方法は、状態Ａ５０２で開始する。状態Ａ５０２で、１つまたは複数のＴＶＢＤ  ＷＴＲＵの４つのグループ（グループ１、グループ２、グループ３、およびグループ４）は、管理されたエリアにおいて動作している。グループ１、グループ２、グループ３、およびグループ４のＷＴＲＵは、未認可のＴＶＢＤ  ＷＴＲＵでもよい。グループ１のＷＴＲＵは、第１のＲＡＴ（ＲＡＴ１）を使用して、ＴＶＢＤチャネルＡにおいて無線データを通信することができる。グループ２のＷＴＲＵも、第２のＲＡＴ（ＲＡＴ２）を使用してチャネルＡにおいて無線データを通信することができる。グループ３のＷＴＲＵは、ＲＡＴ１を使用してチャネルＢにおいて無線データを通信することができる。グループ４のＷＴＲＵは、ＲＡＴ２を使用してチャネルＣにおいて無線データを通信することができる。グループ１およびグループ３のＷＴＲＵは同じＲＡＴを使用するが、同じまたは異なるアクセスネットワークにあってもよい。グループ２およびグループ４のＷＴＲＵは同じＲＡＴを使用するが、同じまたは異なるアクセスネットワークにあってもよい。
【００６７】
スペクトル管理エンティティ（図示せず）は、グループ１、グループ２、グループ３、およびグループ４のＷＴＲＵに関連したデータを受信することができる。データは、例えば、ＷＴＲＵが通信しているチャネル、ＷＴＲＵによって使用されるＲＡＴ、および／または他の情報を示すことができる。スペクトル管理エンティティは、チャネルＡにおいて静寂期間が起こらなければならないことを決定することができる。スペクトル管理エンティティは、静寂期間中に使用可能なチャネルにおいて、どのＲＡＴが現在使用されているかに基づいて、静寂期間の前にＷＴＲＵが異なるチャネルに移動しなければならないことをさらに決定する。例えば、グループ３（グループ１と同じＲＡＴを使用する）がすでにチャネルＢにおいて動作しているため、スペクトル管理エンティティは、そのグループ１がチャネルＡからチャネルＢに移動しなければならないことを決定する。グループ４（グループ２と同じＲＡＴを使用する）がすでにチャネルＣにおいて動作しているため、スペクトル管理エンティティは、グループ２がチャネルＡからチャネルＣに移動しなければならないことを決定する。この決定は、チャネルＢにおけるチャネル条件状態が、チャネルＢにおいて動作している追加のＷＴＲＵをサポートすることができるかどうかにさらに基づき得る。
【００６８】
スペクトル管理エンティティは、グループ１のＷＴＲＵに、今度の静寂期間の前に、チャネルＡからチャネルＢに移動しなければならないことを示すコマンドを送信することができる。スペクトル管理エンティティは、グループ２のＷＴＲＵに、今度の静寂期間の前に、チャネルＣに移動しなければならないことを示すコマンドを送信することができる。グループ１およびグループ２のＷＴＲＵは、コマンドに示されるようにチャネルを切り替えることができる。グループ３のＷＴＲＵは、チャネルＢにとどまることができ、グループ４のＷＴＲＵは、チャネルＣにとどまることができる。
【００６９】
状態５０５では、静寂期間が開始している。グループ１のＷＴＲＵは、チャネルＢに移動している。グループ２のＷＴＲＵは、チャネルＣに移動している。静寂期間中、チャネルＡにおいて検知を実行することができる。静寂期間中、グループ１およびグループ３のＷＴＲＵは、チャネルＢにおいて無線データを通信することができ、グループ２およびグループ４のＷＴＲＵは、チャネルＣにおいて無線データを通信することができる。
【００７０】
状態Ｃ５０６では、静寂期間が終了している。グループ１、グループ２、グループ３、およびグループ４のＷＴＲＵは、状態５０４で動作したチャネル上にとどまることができる。したがって、グループ１およびグループ３のＷＴＲＵは、チャネルＢにおいて無線データを通信することができ、グループ２およびグループ４のＷＴＲＵは、チャネルＣにおいて無線データを通信することができる。
【００７１】
図６は、輪番制のチャネルにおいて静寂期間を含む複数のＲＡＴにわたるチャネルの静寂化の調整のための方法例を示す。図６の方法は、状態Ａ６０２で開始する。状態Ａ６０２で、１つまたは複数のＴＶＢＤ  ＷＴＲＵの４つのグループ（グループ１、グループ２、グループ３、およびグループ４）は、管理されたエリアにおいて動作している。グループ１、グループ２、グループ３、およびグループ４のＷＴＲＵは、未認可のＴＶＢＤ  ＷＴＲＵでもよい。グループ１のＷＴＲＵは、第１のＲＡＴ（ＲＡＴ１）を使用して、ＴＶＢＤチャネルＡにおいて無線データを通信することができる。グループ２のＷＴＲＵも、第２のＲＡＴ（ＲＡＴ２）を使用してチャネルＡにおいて無線データを通信することができる。グループ３のＷＴＲＵは、ＲＡＴ１を使用してチャネルＢにおいて無線データを通信することができる。グループ１およびグループ３のＷＴＲＵは同じＲＡＴを使用するが、同じまたは異なるアクセスネットワークにあってもよい。グループ２およびグループ４のＷＴＲＵは同じＲＡＴを使用するが、同じまたは異なるアクセスネットワークにあってもよい。
【００７２】
スペクトル管理エンティティ（図示せず）は、グループ１、グループ２、グループ３、およびグループ４のＷＴＲＵに関連したデータを受信することができる。データは、例えば、ＷＴＲＵが通信しているチャネル、ＷＴＲＵによって使用されるＲＡＴ、および／または他の情報を示すことができる。スペクトル管理エンティティは、チャネルＡにおいて第１の静寂期間が起こることを決定することができる。スペクトル管理エンティティは、チャネルＢにおいて同じＲＡＴを使用して動作しているＷＴＲＵを集約するために、チャネルＡにおいて動作している一部のＷＴＲＵをチャネルＢに移動させなければならないことを決定することができる。スペクトル管理エンティティは、グループ１およびグループ２のＷＴＲＵに、今度の静寂期間の前に、チャネルＡからチャネルＢに移動しなければならないことを示すコマンドを送信することができる。グループ１およびグループ２のＷＴＲＵは、コマンドに示されるようにチャネルを切り替えることができる。グループ３のＷＴＲＵは、チャネルＢにとどまることができ、グループ４のＷＴＲＵは、チャネルＣにとどまることができる。
【００７３】
状態６０４では、第１の静寂期間が開始している。グループ１およびグループ２のＷＴＲＵは、チャネルＢに移動している。第１の静寂期間中、チャネルＡにおいて検知を実行することができる。第１の静寂期間中、グループ１、グループ２、およびグループ３のＷＴＲＵは、チャネルＢにおいて無線データを通信することができ、グループ４のＷＴＲＵは、チャネルＣにおいて無線データを通信することができる。
【００７４】
状態Ｂ６０４で、スペクトル管理エンティティは、チャネルＢにおいて第２の静寂期間が起こることを決定することができる。スペクトル管理エンティティは、チャネルＢにおいて動作しているＷＴＲＵをチャネルＢからチャネルＡに移動させなければならないことを決定することができる。次いでネットワーク管理エンティティは、グループ１、グループ２、およびグループ３のＷＴＲＵに、第２の静寂期間の前に、チャネルＢからチャネルＡに移動しなければならないことを示すコマンドを送信することができる。グループ１、グループ２、およびグループ３のＷＴＲＵは、コマンドに示されるようにチャネルを切り替えることができる。グループ４のＷＴＲＵは、チャネルＣにとどまる。
【００７５】
状態６０６では、第２の静寂期間が開始している。グループ１、グループ２、およびグループ３のＷＴＲＵは、チャネルＡに切り替わっており、第２の静寂期間中、チャネルＡにおいて無線データを通信することができる。グループ４のＷＴＲＵは、チャネルＣにおいて無線データを通信することができる。
【００７６】
状態６０４で、ネットワーク管理エンティティは、チャネルＣにおいて第３の静寂期間が起こらなければならないことを決定することができる。ネットワーク管理エンティティは、チャネルＣにおいて動作しているＷＴＲＵがチャネルＢに移動しなければならないことを決定することができる。ネットワーク管理エンティティは、グループ４のＷＴＲＵに、第３の静寂期間の前に、チャネルＣからチャネルＢに移動しなければならないことを示すコマンドを送信することができる。グループ４のＷＴＲＵは、コマンドに示されるようにチャネルを切り替えることができる。グループ１、グループ２、およびグループ３のＷＴＲＵは、チャネルＡにとどまることができる。
【００７７】
状態Ｄでは、第３の静寂期間が開始している。グループ４のＷＴＲＵは、チャネルＢに切り替わっており、第３の静寂期間中、チャネルＢにおいて無線データを通信することができる。第３の静寂期間中、グループ１、グループ２、およびグループ３のＷＴＲＵは、チャネルＡにおいて無線データを通信することができる。
【００７８】
図４〜図６を参照して上述したように、スペクトル管理エンティティは、静寂期間が起きるときを決定することができる。さまざまな実装において、スペクトル管理エンティティは、複数の将来の静寂期間のスケジュールを決定することができ、または一度に１つの静寂期間のスケジューリングを決定することができる。例えば、図６の状態Ａ６０２で、スペクトル管理エンティティは、第１、第２、および第３の静寂期間の開始時刻および終了時刻を決定することができ、第１、第２、および第３の静寂期間がスケジュールされるべきチャネルを決定することができる。あるいは、スペクトル管理エンティティは、静寂期間をスケジュールすることができ、スケジュールされた静寂期間中またはそれ以降、次の静寂期間がいつ起こるべきか、および次の静寂期間が起こるべきチャネルを決定することができる。例えば、図６の状態Ａ６０２で、スペクトル管理エンティティは、第１の静寂期間がいつ開始すべきかを決定することができ、次いで状態Ｂ６０４で、スペクトル管理エンティティは、第２の静寂期間がいつ開始しなければならないかについて決定することができ、状態Ｃ６０６以降も同様である。
【００７９】
図４〜図６を参照して上述したように、スペクトル管理エンティティは、ＷＴＲＵがチャネルを切り替えなければならないことを示す１つまたは複数のコマンドをＷＴＲＵに送信することができる。例えば図４〜図６を参照して上述したコマンドなどのチャネル切り替えコマンドは、宛先チャネルを示す１つまたは複数のフィールドおよび／または宛先チャネルを記述する動作パラメータを含むことができる。チャネル切り替えコマンドは、例えば、チャネルにおいて予定されていた１つまたは複数の静寂期間、およびスケジュールされている静寂期間の開始時刻および終了時刻を記述するタイミング情報を示すこともできる。あるいは、またはさらに、チャネル切り替えコマンドは、受取側のＷＴＲＵが宛先チャネルを選択することができる１組の宛先チャネルを含み得る。可能な宛先チャネルごとに、チャネル切り替えコマンドは、情報、チャネルを記載した動作パラメータ、および／またはチャネルにおいてスケジュールされている静寂期間の開始時刻および終了時刻を記述するタイミング情報を含むことができる。あるいは、またはさらに、チャネル切り替えコマンドは、禁止されたチャネルのリスト、チャネル使用情報を含む占有されたチャネルのリスト、どのＲＡＴがどのチャネルにおいて使用されているかを示す情報、所与のＲＡＴと類似するＲＡＴのチャネルリストを示す情報、目標感知測定開始時刻、目標感知測定終了時刻、および／または１つまたは複数のチャネルにおける感知測定の周期を記述している情報を含み得る。
【００８０】
図４〜図６を参照して上述した方法は、図１、図２、および／または図３を参照して上述したアーキテクチャ例１００、２００、３００において、および／または他の任意の適したネットワークアーキテクチャにおいて実施することができる。図４〜図６は、スペクトル管理エンティティを示す。さまざまな実装において、図４〜図６のうちの任意の１つまたはその任意の組合せを参照して上述したスペクトル管理エンティティの機能は、図１のスペクトルマネージャ１９０、図２のデータベースアクセスノード２０４、２１４などのネットワークノードにおいて、ならびに／または図３の共存サービスノード３０６、３１６およびスペクトルマネージャ３９０のうちの１つまたは複数にわたって実施することができる。あるいは、またはさらに、図４〜図６のうちの任意の１つまたはその任意の組合せを参照して上述したスペクトル管理エンティティの機能は、例えば、図１を参照して上述したイネーブルのＷＴＲＵ１４２、１５２、図２を参照して上述したイネーブルのＷＴＲＵ２２２、２４２、２５２、および／または図３を参照して上述したイネーブルのＷＴＲＵ３２２、３４２、３５２など、１つまたは複数の基地局または非基地局のＷＴＲＵにわたって実施することができる。
【００８１】
図７は、図１〜図６を参照して上述した特徴および方法を実施するように構成され得る無線通信システム例７００を示す。無線通信システムは、ＷＴＲＵ７３４、基地局７１２、およびネットワークノード７０２を含み得る。
【００８２】
典型的なＷＴＲＵで見つけることができる構成要素に加えて、ＷＴＲＵ７３４は、リンクされたメモリ７６１を有するプロセッサ７５１、トランシーバ７８１、バッテリ７５９、およびアンテナ７５７を含み得る。プロセッサ７５１は、図１〜図６を参照して上述したメッセージおよび他のデータを生成し、および／または処理するように構成することができる。トランシーバ７８１は、無線データの送受信を容易にするために、プロセッサ７５１およびアンテナ７５７と通信する。バッテリ７５９は、ＷＴＲＵ７３４において使用される場合、トランシーバ７５５および／またはプロセッサ７５１を駆動することができる。図７に示されるトランシーバ７５５に加えて、ＷＴＲＵ７３４は、１つまたは複数の追加のトランシーバ（図示せず）を含むことができる。トランシーバ７５５は、ＴＶＢＤ周波数において無線データを通信することができる。トランシーバ７５５は、シングルモードトランシーバでもよく、または２つ以上の異なるＲＡＴを使用して通信することができるマルチモードトランシーバでもよい。１つまたは複数の追加のトランシーバ（図示せず）はそれぞれ、シングルモードまたはマルチモードトランシーバとすることもできる。例えば、１つまたは複数の追加トランシーバは、静寂化されたチャネルにおいて感知測定を実行するように構成され得る。ＷＴＲＵ７３４は、図１〜図６を参照して上述したＷＴＲＵのうちの１つまたは任意の組合せに帰す機能を実行することができる。
【００８３】
典型的な基地局で見つけることができる構成要素に加えて、基地局７１２は、リンクされたメモリ７６３を有するプロセッサ７６１、トランシーバ７６５、およびアンテナ７６７を含み得る。プロセッサ７６１は、図１〜図６を参照して上述したメッセージおよび／または他のデータを生成し、および／または処理するように構成することができる。トランシーバ７６５は、無線データの送受信を容易にするために、プロセッサ７６１およびアンテナ７６７と通信する。トランシーバ７６５は、ＴＶＢＤ周波数において無線データを通信することができる。図７の基地局７１２は、２つ以上のトランシーバ７６５および２つ以上のアンテナ７６７を有するものとして示されているが、基地局７１２は、１つまたは複数のトランシーバ７６５および／または１つまたは複数のアンテナ７６７を含む、任意の数のトランシーバ７６５および／またはアンテナ７６７を含むことができる。１つまたは複数のトランシーバ７６５は、例えば、静寂化されたチャネルにおいて検知測定を実行するように構成され得る。基地局７１２は、図１〜図６を参照して上述した任意の基地局に帰す機能を実行することができる。
【００８４】
ネットワークノード７０２は、プロセッサ７７１、およびリンクされたメモリ７７３を含むことができる。ネットワークノード７０２は、それだけには限定されないが、例えば図１のスペクトルマネージャ１９０、図２のデータベースアクセスノード２０４、２１４、図３の共存サービスノード３０６、３１６、スペクトルマネージャ３９０、図４〜図６のうちの任意の１つまたはその任意の組合せのスペクトル管理エンティティ、および／または図１〜図３を参照して上述した中央ＴＶＢＤデータベースサーバ１０２、２０２、３０２など、図１〜図６を参照して上述したネットワークノードのうちの１つまたは任意の組合せに帰す機能を実施するように構成することができる。ネットワークノード７０２は、基地局７１２および／または他のネットワークノード（図示せず）との間でデータを送信および／または受信するように構成可能である通信インターフェイス７７５を含み得る。通信インターフェイス７７５は、トランシーバとする、またはトランシーバを含むことができる。通信インターフェイス７７５は、有線および／または無線の通信技術を使用して動作することができる。通信インターフェイス７７５は、例えばＩＰ（インターネットプロトコル）などの技術に基づいて基地局７１２および／または他のネットワークノードと通信することができる。プロセッサ７７１は、図１〜図６を参照して上述したメッセージおよび他のデータを生成し、および／または処理するように構成することができる。
【００８５】
上記では特定の無線アクセス技術に関して図１〜図７を参照して例が提供されているが、上記の原理は、無線アクセス技術のうちの任意のものまたは任意の組合せにも適用可能である。図１〜図６を参照して上述した原理は、例えばＬＴＥ、ＬＴＥ―Ａ、ＳＡＥ（Ｓｅｒｖｉｃｅ  Ａｒｃｈｉｔｅｃｔｕｒｅ  Ｅｖｏｌｕｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）、ＩＥＥＥ８０２．１６／ＷｉＭａｘ、ＷｉＢｒｏ（Ｗｉｒｅｌｅｓｓ  Ｂｒｏａｄｂａｎｄ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）  ＧＥＲＡＮ（Ｒａｄｉｏ  Ａｃｃｅｓｓ  Ｎｅｔｗｏｒｋ）、ＩＥＥＥ  ８０２．１１ｘ／ＷＬＡＮ、ＣＤＭＡ２０００（Ｃｏｄｅ  Ｄｉｖｉｓｉｏｎ  Ｍｕｌｔｉｐｌｅ  Ａｃｃｅｓｓ  ２０００）、ＩＥＥＥ８０２．１５、Ｚｉｇｂｅｅ、Ｂｌｕｅｔｏｏｔｈ、ＩＥＥＥ８０２．１９．１、ＩＥＥＥ８０２．２２．ｘなどの技術、および／または図１〜図７を参照して上述した特徴および方法をサポートする任意の他の技術に基づく無線通信システムに適用可能である。
【００８６】
上記ではＴｙｐｅ  Ｉ、Ｔｙｐｅ  ＩＩ、固定式、およびＳＯ  ＴＶＢＤ  ＷＴＲＵに関して図１〜図７を参照して例が提供されているが、上記の原理は、米国ＦＣＣガイドラインに従って動作するように構成されていないＴＶＢＤ  ＷＴＲＵを含めて、任意のタイプのＴＶＢＤ  ＷＴＲＵに適用可能である。さらに、上記では、ＴＶＢＤ周波数における動作に関して図１〜図７を参照して例が提供されているが、上記の原理は、任意の周波数帯の無線通信に適用可能である。
【００８７】
特徴および要素が特定の組合せで図１〜図７を参照して上述されているが、各特徴または要素は、他の特徴および要素なしで単独で、または他の特徴および要素の有無にかかわらずさまざまな組合せで使用することができる。図１〜図７を参照して上述した方法またはフローチャートの副要素は、任意の順序（同時も含む）、任意の組合せまたは準組合せで実現することができる。図１〜図７を参照して上述した方法またはフローチャートは、汎用コンピュータまたはプロセッサによって実行するためにコンピュータ可読記憶媒体に組み込まれたコンピュータプログラム、ソフトウェア、またはファームウェアで実施することができる。コンピュータ可読記憶媒体の例には、ＲＯＭ（読み取り専用メモリ）、ＲＡＭ（ランダムアクセスメモリ）、レジスタ、キャッシュメモリ、半導体記憶装置、内蔵ハードディスクおよび取外し可能ディスクなどの磁気媒体、光磁気媒体、ならびにＣＤ―ＲＯＭディスク、およびＤＶＤ（デジタル多用途ディスク）などの光学式媒体などがある。
【００８８】
本明細書で使用するとき、「プロセッサ」という用語は、それだけには限定されないが、汎用プロセッサ、専用プロセッサ、従来のプロセッサ、ＤＳＰ（デジタル信号プロセッサ）、複数のマイクロプロセッサ、ＤＳＰコアに関連した１つまたは複数のマイクロプロセッサ、コントローラ、マイクロコントローラ、１つまたは複数のＡＳＩＣ（特定用途向け集積回路）、１つまたは複数のＦＰＧＡ（フィールドプログラマブルゲートアレイ）回路、他のタイプの任意のＩＣ（集積回路）、ＳＯＣ（ｓｙｓｔｅｍ―ｏｎ―ａ―ｃｈｉｐ）、および／または状態機械を含む。
【００８９】
ソフトウェアに関連したプロセッサは、ＷＴＲＵ（無線送受信装置）、ＵＥ（ユーザ機器）、端末、基地局、ＲＮＣ（無線ネットワークコントローラ）、シングル、デュアル、または多帯域スマートフォン、または任意のホストコンピュータで使用するための無線周波トランシーバを実施するために使用することができる。ＷＴＲＵは、カメラ、ビデオカメラモジュール、テレビ電話、スピーカフォン、振動装置、スピーカ、マイクロホン、テレビジョントランシーバ、ハンドフリーヘッドセット、キーボード、Ｂｌｕｅｔｏｏｔｈ（登録商標）モジュール、ＦＭ（周波数変調）無線ユニット、ＬＣＤ（液晶）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）もしくはＵＷＢ（超広帯域）モジュールなど、ハードウェアおよび／またはソフトウェアに実装されるモジュールと共に使用することができる。
【００９０】
（実施形態）
１．無線通信において使用される方法であって、
チャネルの静寂化、ＴＶＢＤデータベース、スペクトルの管理、および／または複数のＲＡＴにわたるスペクトルの管理に関連したデータを送信または受信するステップを含む方法。
【００９１】
２．インターネットおよび／または１つまたは複数の他のネットワークを介してデータベースサーバまたは他のネットワークノードに問合せを送信するステップであって、問合せは、ＷＴＲＵがＷＴＲＵの現在の位置の周波数で動作するための許可を要求する、ステップ
をさらに含む実施形態１に記載の方法。
【００９２】
３．インターネットおよび／または１つまたは複数の他のネットワークを介してデータベースサーバまたは他のネットワークノードに問合せを送信するステップであって、問合せは、ＷＴＲＵがＷＴＲＵの現在の位置の周波数で動作するための許可を要求し、ＷＴＲＵの地理位置、ＷＴＲＵの端末のタイプ、およびＷＴＲＵの送信電力のうちの１つまたは複数に関連した情報を含む、ステップ
をさらに含む上記実施形態のいずれかに記載の方法。
【００９３】
４．データベースサーバまたは他のネットワークノードがインターネットおよび／または１つまたは複数の他のネットワークを介してＷＴＲＵに情報を送信するステップであって、情報は、ＷＴＲＵが動作することができる１つまたは複数の周波数を示す、ステップ
をさらに含む上記実施形態のいずれかに記載の方法。
【００９４】
５．データベースサーバまたは他のネットワークノードが、問合せに応答して、インターネットおよび／または１つまたは複数の他のネットワークを介してＷＴＲＵに情報を送信するステップであって、情報は、ＷＴＲＵが動作することができる１つまたは複数の周波数を示す、ステップ
をさらに含む上記実施形態のいずれかに記載の方法。
【００９５】
６．固定式ＷＴＲＵ、Ｍｏｄｅ  Ｉ  ＷＴＲＵ、Ｍｏｄｅ  ＩＩ  ＷＴＲＵ、またはＳＯ  ＷＴＲＵとしてデータを送信または受信するステップ
をさらに含む上記実施形態のいずれかに記載の方法。
【００９６】
７．ＴＶＢＤイネーブル情報を送信または受信するステップ
をさらに含む上記実施形態のいずれかに記載の方法。
【００９７】
８．１つまたは複数のＷＴＲＵに関連した情報を送信し、受信し、または格納するステップであって、ＷＴＲＵごとに、情報は、クライアントＩＤ、イネーブルＷＴＲＵ  ＩＤ、地理位置に関連した情報、位置情報の精度を示す情報、中心周波数、使用する最大帯域幅、最大送信電力、アクセス開始時刻、アクセス終了時刻、媒体アクセス制御（ＭＡＣ）アドレス、無線ネットワークアクセスポイントのＭＡＣアドレス、無線機能情報、サポートされるＲＡＴ、サポートされる周波数、サポートされるデータレート、サポートされるサービス、モビリティの説明、電力機能、感知および測定機能、またはアンテナ機能のうちの１つまたは複数に関連する、ステップ
をさらに含む上記実施形態のいずれかに記載の方法。
【００９８】
９．１つまたは複数のチャネルに関連した情報を送信し、受信し、または格納するステップであって、チャネルごとに、情報は、チャネルが認可されたユーザによってブロックされているか、使用可能か、チャネルが占有されているかどうか、チャネルにおいて現在使用されているＲＡＴのリスト、すべてのＲＡＴにわたるチャネルにおける総チャネル負荷および／または時間使用情報、およびＲＡＴ当たりのチャネル負荷情報のうちの１つまたは複数に関連する、ステップ
をさらに含む上記実施形態のいずれかに記載の方法。
【００９９】
１０．１つまたは複数のメッセージをネットワークノードに送信するステップであって、１つまたは複数のメッセージは、ＷＴＲＵが位置を変えたこと、ＷＴＲＵがチャネルを変えたこと、ＷＴＲＵがチャネルにおいて認可されたＷＴＲＵを検出したことのうちの１つまたは複数を示す、ステップ
をさらに含む上記実施形態のいずれかに記載の方法。
【０１００】
１１．静寂期間中に、チャネル上で感知するステップと、
静寂期間中に、チャネルにおいて認可されたＷＴＲＵを検出するステップと、
１つまたは複数のメッセージを送信するステップであって、１つまたは複数のメッセージは、認可されたＷＴＲＵがチャネルにおいて検出されたことを示す、ステップと
をさらに含む上記実施形態のいずれかに記載の方法。
【０１０１】
１２．１つまたは複数のメッセージを送信するステップであって、１つまたは複数のメッセージは、物理層パラメータ、干渉閾値、サービス要件、共存機能、好適な共存パラメータ、ＷＴＲＵがどの周波数で動作することができるか、ＷＴＲＵがどのタイプの測定を行うことができるか、ＷＴＲＵが動的な周波数の選択を実行することができるかどうか、または静寂期間に関連した要求またはコマンドをＷＴＲＵがサポートするかどうかのうちの１つまたは複数に関連した情報を含む、ステップ
をさらに含む上記実施形態のいずれかに記載の方法。
【０１０２】
１３．１つまたは複数のメッセージをネットワークノードに送信するステップであって、１つまたは複数のメッセージは、管理されたエリアにおいて動作している他のＷＴＲＵに関する情報、使用可能なチャネルおよび共存機構、ネゴシエートされた共存パラメータ、他のＷＴＲＵが動作しているチャネル、および他のＷＴＲＵによって使用されるＲＡＴに関する情報のうちの１つまたは複数に関連した情報を含む、ステップ
をさらに含む上記実施形態のいずれかに記載の方法。
【０１０３】
１４．１つまたは複数のメッセージでＷＴＲＵから情報を受信するステップと、
情報をデータベースに格納し、および／または情報をデータベースサーバまたは他のネットワークノードに送信するステップと
をさらに含む上記実施形態のいずれかに記載の方法。
【０１０４】
１５．中央ＴＶＢＤデータベースサーバ、スペクトルマネージャ、および多様なＲＡＴに基づく１つまたは複数の無線アクセスネットワークのうちの１つまたは複数を含む通信システムでデータを通信するステップ
をさらに含む上記実施形態のいずれかに記載の方法。
【０１０５】
１６．中央ＴＶＢＤデータベースサーバ、１つまたは複数のデータベースアクセスノード、１つまたは複数のＷＴＲＵ、および多様なＲＡＴに基づく１つまたは複数の無線アクセスネットワークのうちの１つまたは複数を含む通信システムでデータを通信するステップ
をさらに含む上記実施形態のいずれかに記載の方法。
【０１０６】
１７．中央ＴＶＢＤサーバ、１つまたは複数のデータベースアクセスノード、１つまたは複数の共存サービスノード、１つまたは複数のＷＴＲＵ、および多様なＲＡＴに基づく１つまたは複数の無線アクセスネットワークのうちの１つまたは複数を含む通信システムでデータを通信するステップ
をさらに含む上記実施形態のいずれかに記載の方法。
【０１０７】
１８．複数のＲＡＴにわたるチャネルの静寂化の調整のための方法に参加するステップであって、方法は、一時的なチャネルリロケーションを含む、ステップ
をさらに含む上記実施形態のいずれかに記載の方法。
【０１０８】
１９．１つまたは複数のネットワークノードがチャネルにおいて１つまたは複数の静寂期間のスケジュールを決定するステップ
をさらに含む上記実施形態のいずれかに記載の方法。
【０１０９】
２０．１つまたは複数の静寂期間のスケジュールを決定するステップ
をさらに含む上記実施形態のいずれかに記載の方法。
【０１１０】
２１．ＴＶＢＤデータベースから受信した情報、ＷＴＲＵから受信した情報、および／または他の任意のソースからの情報に基づいて１つまたは複数の静寂期間のスケジュールを決定するステップであって、情報は、ネットワークステータス情報であり、および／またはＷＴＲＵが位置を変えたインジケータ、ＷＴＲＵがチャネルを変えた旨のインジケータ、ＷＴＲＵがチャネルにおいて認可されたＷＴＲＵを検出した旨のインジケータ、物理層パラメータ、干渉閾値、サービス要件、共存機能、好適な共存パラメータ、ＷＴＲＵがどの周波数をサポートするか、ＷＴＲＵがどのタイプの測定をサポートするか、ＷＴＲＵが動的な周波数の選択を実行することができるかどうか、または静寂期間に関連した要求またはコマンドをＷＴＲＵがサポートするかどうかのうちの１つまたは複数に関連する、ステップ
をさらに含む上記実施形態のいずれかに記載の方法。
【０１１１】
２２．１つまたは複数の静寂期間のスケジュールを決定するステップであって、スケジュールは、ＷＴＲＵが静寂期間への第１のチャネルにおける送信を回避するために、第１のチャネルから第２のチャネルに切り替えなければならないことを示す、ステップ
をさらに含む上記実施形態のいずれかに記載の方法。
【０１１２】
２３．１つまたは複数の静寂期間のスケジュールを決定するステップであって、スケジュールは、ＷＴＲＵが静寂期間中の第１のチャネルにおける送信を回避するために、第１のチャネルから第２のチャネルに切り替え、静寂期間の後、第２のチャネルから第１のチャネルに切り替えなければならないことを示す、ステップ
をさらに含む上記実施形態のいずれかに記載の方法。
【０１１３】
２４．１つまたは複数の静寂期間のスケジュールを決定するステップであって、スケジュールは、同じＲＡＴを使用して動作するＷＴＲＵを同じチャネル上に集めなければならないことを示す、ステップ
をさらに含む上記実施形態のいずれかに記載の方法。
【０１１４】
２５．１つまたは複数の静寂期間のスケジュールを決定するステップであって、スケジュールは、同じＲＡＴを使用して動作するＷＴＲＵを同じチャネル上に集めなければならないことを示す、ステップ
をさらに含む上記実施形態のいずれかに記載の方法。
【０１１５】
２６．１つまたは複数の静寂期間のスケジュールを決定するステップであって、スケジュールは、静寂期間を使用可能なチャネル間で回さなければならないことを示す、ステップ
をさらに含む上記実施形態のいずれかに記載の方法。
２７．ＷＴＲＵが通信しているチャネル、ＷＴＲＵによって使用されるＲＡＴ、またはチャネル状態情報のうちの１つまたは複数を含む情報に基づいて１つまたは複数のＷＴＲＵの１つまたは複数の静寂期間のスケジュールを決定するステップ
をさらに含む上記実施形態のいずれかに記載の方法。
【０１１６】
２８．静寂期間の決定されたスケジュールに基づいて、チャネル切り替えコマンドを送信するステップ
をさらに含む上記実施形態のいずれかに記載の方法。
【０１１７】
２９．チャネル切り替えコマンドを送信するステップであって、チャネル切り替えコマンドは、宛先チャネル、宛先チャネルを記述する１つまたは複数の動作パラメータ、チャネルにおいてスケジュールされた１つまたは複数の静寂期間、チャネルにおける静寂期間の開始時刻および／または終了時刻、１組の使用可能な宛先チャネル、禁止されたまたは使用できないチャネルのリスト、占有されたチャネルのリストのリスト、どのＲＡＴがチャネルにおいて使用されているかを示すチャネル使用情報、所与のＲＡＴと類似するＲＡＴのチャネルリストを示す情報、目標感知測定開始時刻、目標感知測定終了時刻、または１つまたは複数のチャネルにおける感知測定の周期を記述している情報のうちの１つまたは複数を示す、ステップ
をさらに含む上記実施形態のいずれかに記載の方法。
【０１１８】
３０．チャネル切り替えコマンドを受信するステップと、
チャネル切り替えコマンドに示されるようにチャネルを切り替えるステップと
をさらに含む上記実施形態のいずれかに記載の方法。
【０１１９】
３１．ＴＶＢＤ周波数において無線データを通信するステップ
をさらに含む上記実施形態のいずれかに記載の方法。
【０１２０】
３２．ＭＩＣ技術、媒体独立サーバ技術、ＩＥＥＥ８０２．２２ｘ、ＩＥＥＥ８０２．１１ｕ、ＩＥＥＥ８０２．１６ｇ／ｈ、ＭＩＰＳＨＯＰベース技術、ＭＩＣメッセージ、ＩＥＥＥ８０２．２１、ＩＥＥＥ８０２．２１、およびＩＰのうちの１つまたは複数を使用して通信するステップ
をさらに含む上記実施形態のいずれかに記載の方法。
【０１２１】
３３．実施形態１〜３２のうちの任意の１つまたは任意の１つの任意の一部に記載の方法を実行するように構成された集積回路。
【０１２２】
３４．実施形態１〜３２のうちの任意の１つまたは任意の１つの任意の一部に記載の方法を実行するように構成されたＷＴＲＵ。
【０１２３】
３５．実施形態１〜３２のうちの任意の１つまたは任意の１つの任意の一部に記載の方法を実行するように構成されたネットワークノード。
【０１２４】
３６．実施形態１〜３２のうちの任意の１つまたは任意の１つの任意の一部に記載の方法を実行するように構成された基地局。
【図１】
0005395252.tif 000003
【図２】
0005395252.tif 000004
【図３】
0005395252.tif 000005
【図４】
0005395252.tif 000006
【図５】
0005395252.tif 000007
【図６】
0005395252.tif 000008
【図７】
0005395252.tif 000009